(57)【特許請求の範囲】
【請求項１】
熱交換形換気装置は第一の本体箱と、第二の本体箱を備え、前記第一の本体箱は、第一の熱交換器と、第一の送風機と、第一の室内排気口と、第一の室外排気口と、第一の室外給気口と、第一の室内給気口と、第一の還流口と、第一の排気流遮蔽手段と、第一の給気流遮蔽手段と、第一の還流遮蔽手段を備え、前記第一の熱交換器は第一の熱交排気流路および第一の熱交給気流路を備え、前記第一の送風機は第一の排気流と、第一の給気流と、第一の室内空気循環流を送風し、前記第一の室内排気口は前記第一の排気流の前記第一の本体箱への流入口であり、前記第一の室外排気口は前記第一の本体箱から前記第一の排気流の吐出口であり、前記第一の室外給気口は前記第一の給気流の前記第一の本体箱への流入口であり、前記第一の室内給気口は前記第一の本体箱から前記第一の給気流の吐出口であり、前記第一の還流口は、デフロスト運転時、前記第一の室内空気循環流の流入口または吐出口であり、前記第一の排気流遮蔽手段は前記第一の排気流の経路の遮蔽と開放を行い、前記第一の給気流遮蔽手段は前記第一の給気流の経路の遮蔽と開放を行い、前記第一の還流遮蔽手段は前記第一の室内空気循環流の遮蔽と開放を行い、前記第二の本体箱は、第二の熱交換器と、第二の送風機と、第二の室内排気口と、第二の室外排気口と、第二の室外給気口と、第二の室内給気口と、第二の還流口と、第二の排気流遮蔽手段と、第二の給気流遮蔽手段と、第二の還流遮蔽手段を備え、前記第二の熱交換器は第二の熱交排気流路および第二の熱交給気流路を備え、前記第二の送風機は第二の排気流と、第二の給気流と、第二の室内空気循環流を送風し、前記第二の室内排気口は前記第二の排気流の前記第二の本体箱への流入口であり、前記第二の室外排気口は前記第二の本体箱から前記第二の排気流の吐出口であり、前記第二の室外給気口は前記第二の給気流の前記第二の本体箱への流入口であり、前記第二の室内給気口は前記第二の本体箱から前記第二の給気流の吐出口であり、前記第二の還流口は、デフロスト運転時、前記第二の室内空気循環流の流入口または吐出口であり、前記第二の排気流遮蔽手段は前記第二の排気流の経路の遮蔽と開放を行い、前記第二の給気流遮蔽手段は前記第二の給気流の経路の遮蔽と開放を行い、前記第二の還流遮蔽手段は前記第二の室内空気循環流の遮蔽と開放を行い、前記第一および／または第二の熱交排気流路において結露や氷結が起こる時、前記第一の熱交換器は氷結時の熱交換気運転、前記第二の熱交換器はデフロスト運転を行い、その後、前記第二の熱交換器は氷結時の熱交換気運転、前記第一の熱交換器はデフロスト運転を行うというように、前記第一および第二の熱交換器にて氷結時の熱交換気運転とデフロスト運転を順次切り換える構成とし、前記第一および第二の熱交排気流路において結露や氷結が起こらない時、前記第一および第二の熱交換器は通常時の熱交換気運転を行う構成としたことを特徴とする熱交換形換気装置。
【請求項２】
第一および第二の本体箱は第一および／または第二の熱交排気流路における結露や氷結の影響を検知する第一および／または第二の検知手段を備え、前記第一および／または第二の熱交排気流路において結露や氷結が起こる時は、氷結時の熱交換気運転とデフロスト運転の切り換えを行い、前記第一および第二の熱交排気流路において結露や氷結が起こらない時は、通常時の熱交換気運転を行う運転制御する構成としたことを特徴とする請求項１記載の熱交換形換気装置。
【請求項３】
氷結時の熱交換気運転は、デフロスト運転の第一および第二の室内空気循環流の経路を第一および第二の還流遮蔽手段にて遮蔽して氷結時の熱交換気運転を行い、デフロスト運転は、氷結時の熱交換気運転の第一および第二の排気流の経路と第一および第二の給気流の経路を第一および第二の排気流遮蔽手段と第一および第二の給気流遮蔽手段にて遮蔽してデフロスト運転を行い、通常時の熱交換気運転は、デフロスト運転の室内空気循環流の経路を前記第一および第二の還流遮蔽手段にて遮蔽して前記通常時の熱交換気運転を行う構成としたことを特徴とする請求項１記載の熱交換形換気装置。
【請求項４】
室内空気を用いてデフロスト運転を行う構成としたことを特徴とする請求項３記載の熱交換形換気装置。
【請求項５】
第一および第二の排気流において室内の空気を第一および第二の熱交排気流路の上流側とした場合、第一および第二の室内空気循環流は、前記第一および第二の熱交排気流路の上流側から第一および第二の熱交換器に室内空気を通過させ、前記第一および第二の熱交排気流路の下流側から室内に戻す第一および第二の排気流循環経路を形成し、デフロスト運転は前記第一および第二の排気流循環経路を用いたことを特徴とする請求項４記載の熱交換形換気装置。
【請求項６】
第一および第二の給気流において室外の空気を第一および第二の熱交給気流路の上流側とした場合、第一および第二の室内空気循環流は、前記第一および第二の熱交給気流路の上流側から第一および第二の熱交換器に室内空気を通過させ、前記第一および第二の熱交給気流路の下流側から室内に戻す第一および第二の給気流循環経路を形成し、デフロスト運転は前記第一および第二の給気流循環経路を用いたことを特徴とする請求項４記載の熱交換形換気装置。
【請求項７】
デフロスト運転は、第一および第二の排気流循環経路と第一および第二の給気流循環経路を同時または交互に用いたことを特徴とする請求項５または６記載の熱交換形換気装置。
【請求項８】
第一および第二の排気流において室内の空気を第一および第二の熱交排気流路の上流側とし、第一および第二の給気流において室外の空気を第一および第二の熱交給気流路の上流側とした場合、第一および第二の室内空気循環流は、前記第一および第二の熱交排気流路の上流側から第一および第二の熱交換器に室内空気を通過させ、次に前記第一および第二の熱交排気流路の下流側から前記第一および第二の熱交給気流路の上流側へ流通し、更に前記第一および第二の熱交給気流路の上流側から前記第一および第二の熱交換器に通過させ、前記第一および第二の熱交給気流路の下流側から室内に戻す第一および第二の給俳気流循環経路を形成し、デフロスト運転は前記第一および第二の給俳気流循環経路を用いたことを特徴とする請求項４記載の熱交換形換気装置。
【請求項９】
第一および第二の排気流循環経路において、第一および第二の還流口は第一および第二の排気還流口であり、前記第一および第二の排気還流口は第一および第二の熱交排気流路の下流側に設け、第一および第二の還流遮蔽手段は第一および第二の排気還流遮蔽ダンパーであり、前記第一および第二の排気還流遮蔽ダンパーは、第一および第二の室内空気循環流の前記第一および第二の排気流循環経路の遮蔽および開放を行い、氷結時の熱交換気運転および通常時の熱交換気運転を行っている時は、前記第一および第二の排気還流遮蔽ダンパーは遮蔽し、前記第一および第二の排気流循環経路を用いたデフロスト運転を行っている時は、前記第一および第二の排気還流遮蔽ダンパーは開放し、前記第一および第二の室内空気循環流は、前記第一および第二の熱交排気流路の下流側から前記第一および第二の排気還流口を通過して室内に戻る構成としたことを特徴とする請求項５または７記載の熱交換形換気装置。
【請求項１０】
第一および第二の給気流循環経路において、第一および第二の還流口は第一および第二の給気還流口であり、前記第一および第二の給気還流口は第一および第二の熱交給気流路の上流側に設け、第一および第二の還流遮蔽手段は第一および第二の給気還流遮蔽ダンパーであり、前記第一および第二の給気還流遮蔽ダンパーは、第一および第二の室内空気循環流の前記第一および第二の給気流循環経路の遮蔽および開放を行い、氷結時の熱交換気運転および通常時の熱交換気運転を行っている時は、前記第一および第二の給気還流遮蔽ダンパーは遮蔽し、前記第一および第二の給気流循環経路を用いたデフロスト運転を行っている時は、前記第一および第二の給気還流遮蔽ダンパーは開放し、前記第一および第二の室内空気循環流は、前記第一および第二の給気還流口を通過して前記第一および第二の熱交給気流路の上流側に流入する構成としたことを特徴とする請求項６または７記載の熱交換形換気装置。
【請求項１１】
第一および第二の給俳気流循環経路において、第一および第二の還流口は第一および第二の給俳気還流口であり、第一および第二の熱交排気流路の下流側と第一および第二の熱交給気流路の上流側の間に設け、第一および第二の還流遮蔽手段は第一および第二の給俳気還流遮蔽ダンパーであり、前記第一および第二の給俳気還流遮蔽ダンパーは、第一および第二の室内空気循環流の前記第一および第二の給俳気流循環経路の遮蔽および開放を行い、氷結時の熱交換気運転および通常時の熱交換気運転を行っている時は、前記第一および第二の給俳気還流遮蔽ダンパーは遮蔽し、前記第一および第二の給俳気流循環経路を用いたデフロスト運転を行っている時は、前記第一および第二の給俳気還流遮蔽ダンパーは開放し、前記第一および第二の室内空気循環流は、前記第一および第二の熱交排気流路の下流側から前記第一および第二の給俳気還流口を通過して前記第一および第二の熱交給気流路の上流側に流入する構成としたことを特徴とする請求項８記載の熱交換形換気装置。
【請求項１２】
第一および第二の排気流循環経路において、第一および第二の排気還流遮蔽ダンパーは第一および第二の排気還流口の遮蔽および開放を行う構成としたことを特徴とする請求項９記載の熱交換形換気装置。
【請求項１３】
第一および第二の給気流循環経路において、第一および第二の給気還流遮蔽ダンパーは第一および第二の給気還流口の遮蔽および開放を行う構成としたことを特徴とする請求項１０記載の熱交換形換気装置。
【請求項１４】
第一および第二の給俳気流循環経路において、第一および第二の給俳気還流遮蔽ダンパーは第一および第二の給排気還流口の遮蔽および開放を行う構成としたことを特徴とする請求項１１記載の熱交換形換気装置。
【請求項１５】
氷結時の熱交換気運転および通常時の熱交換気運転を行っている時は、第一および第二の排気流遮蔽手段は第一および第二の排気流の経路を開放し、第一および第二の給気流遮蔽手段は第一および第二の給気流の経路を開放し、デフロスト運転を行っている時は、第一および第二の排気流において室内の空気を第一および第二の熱交排気流路の上流側とした場合、前記第一および第二の排気流遮蔽手段は、前記第一および第二の排気流の経路の少なくとも前記第一および第二の熱交排気流路の下流側を遮蔽し、前記第一および第二の給気流において室外の空気を第一および第二の熱交給気流路の上流側とした場合、前記第一および第二の給気流遮蔽手段は、前記第一および第二の給気流の経路の少なくとも前記熱交給気流路の上流側を遮蔽したことを特徴とする請求項３記載の熱交換形換気装置。
【請求項１６】
第一および第二の排気流の経路において、第一および第二の排気流遮蔽手段は第一および第二の室外排気口遮蔽ダンパーであり、前記第一および第二の室外排気口遮蔽ダンパーは、前記第一および第二の熱交排気流路の下流側の遮蔽および開放を行い、第一および第二の給気流の経路において、第一および第二の給気流遮蔽手段は第一および第二の室外給気口遮蔽ダンパーであり、前記第一および第二の室外給気口遮蔽ダンパーは、前記第一および第二の熱交給気流路の上流側の遮蔽および開放を行い、氷結時の熱交換気運転および通常時の熱交換気運転を行っている時は、前記第一および第二の室外排気口遮蔽ダンパーと前記第一および第二の室外給気口遮蔽ダンパーは開放し、デフロスト運転を行っている時は、前記第一および第二の室外排気口遮蔽ダンパーと前記第一および第二の室外給気口遮蔽ダンパーは遮蔽する構成としたことを特徴とする請求項１５記載の熱交換形換気装置。
【請求項１７】
第一および第二の排気流の経路において、第一および第二の排気流遮蔽手段は第一および第二の室内排気口遮蔽ダンパーであり、前記第一および第二の室内排気口遮蔽ダンパーは、第一および第二の熱交排気流路の上流側の遮蔽および開放を行い、第一および第二の給気流の経路において、第一および第二の給気流遮蔽手段は第一および第二の室内給気口遮蔽ダンパーであり、前記第一および第二の室内給気口遮蔽ダンパーは、第一および第二の熱交給気流路の下流側の遮蔽および開放を行い、氷結時の熱交換気運転および通常時の熱交換気運転を行っている時は、前記第一および第二の室内排気口遮蔽ダンパーと前記第一および第二の室内給気口遮蔽ダンパーは開放し、第一および第二の排気流循環経路を用いたデフロスト運転を行っている時は、前記第一および第二の室内排気口遮蔽ダンパーは開放し、前記第一および第二の室内給気口遮蔽ダンパーは遮蔽または開放する構成としたことを特徴とする請求項５または１６記載の熱交換形換気装置。
【請求項１８】
第一および第二の給気流循環経路を用いたデフロスト運転を行っている時は、第一および第二の室内排気口遮蔽ダンパーは遮蔽または開放し、第一および第二の室内給気口遮蔽ダンパーは開放する構成としたことを特徴とする請求項６または１７記載の熱交換形換気装置。
【請求項１９】
第一および第二の給俳気流循環経路を用いたデフロスト運転を行っている時は、第一および第二の室内排気口遮蔽ダンパーと第一および第二の室内給気口遮蔽ダンパーは開放する構成としたことを特徴とする請求項８または１７記載の熱交換形換気装置。
【請求項２０】
第一および第二の排気流において、第一および第二の室内排気口遮蔽ダンパーは第一および第二の室内排気口の遮蔽および開放を行い、第一および第二の室外排気口遮蔽ダンパーは第一および第二の室外排気口の遮蔽および開放を行い、第一および第二の給気流において、第一および第二の室外給気口遮蔽ダンパーは第一および第二の室外給気口の遮蔽および開放を行い、第一および第二の室内給気口遮蔽ダンパーは第一および第二の室内給気口の遮蔽および開放を行う構成としたことを特徴とする請求項１６乃至１９のいずれかに記載の熱交換形換気装置。
【請求項２１】
第一および第二の送風機は第一および第二の排気羽根と第一および第二の給気羽根を備え、前記第一および第二の排気羽根は、氷結時の熱交換気運転および通常時の熱交換気運転を行う時は第一および第二の排気流の経路を送風し、デフロスト運転を行う時は第一および第二の室内空気循環流の第一および第二の排気流循環経路を送風し、前記第一および第二の給気羽根は、氷結時の熱交換気運転および通常時の熱交換気運転を行う時は第一および第二の給気流の経路を送風し、デフロスト運転を行う時は前記第一および第二の室内空気循環流の第一および第二の給気流循環経路を送風し、前記第一および第二の排気羽根および／または第一および第二の給気羽根は、デフロスト運転を行う時は前記第一および第二の室内空気循環流の第一および第二の給俳気流循環経路を送風する構成としたことを特徴とする請求項７または８記載の熱交換形換気装置。
【請求項２２】
氷結時の熱交換気運転において、第一および第二の熱交換器に通風させる第一および第二の排気流と第一および第二の給気流の風量は、通常時の熱交換気運転において、第一および第二の熱交換器に通風させる第一および第二の排気流と第一および第二の給気流の風量が等しいことを特徴とする請求項１記載の熱交換形換気装置。
【請求項２３】
通常時の熱交換気運転において、第一および第二の排気流と第一および第二の給気流は第一および第二の熱交換器に対して一度通風させることを特徴とする請求項１記載の熱交換形換気装置。
【発明の詳細な説明】
【技術分野】
【０００１】
本発明は、寒冷地等で使用され、室内の空気を室外へ排気する排気流と、室外の空気を室内へ給気する給気流との間で熱交換する熱交換形換気装置に関する。
【背景技術】
【０００２】
この種の熱交換形換気装置は、冬季に室外の温度が、例えば−１０℃以下のような低い温度になると、室内からの温かい排気流が流れる熱交換器内の流路内において、隣接する給気の流路に室外から通風される冷たい給気の影響を受けて氷結し目詰まりしていくが、従来の熱交換形換気装置では、この氷結による目詰まりを防止する構成をとっていた（例えば、特許文献１参照）。
【０００３】
また、室外の温度が−２５℃のようなきわめて低い温度となる地域では、実用に供する熱交換形換気装置がないのが実状であった。
【０００４】
以下、特許文献１に示す熱交換形換気装置について、図１２を参照しながら説明する。
【０００５】
図１２に示すように、熱交換器ユニット１０１は室内の空気と室外の空気の間で熱交換換気を行い、熱交換器ユニット１０１は、熱交換器１０２と、室内の空気を室外へ排気し、熱交換器１０２を経由する排気経路１０３と、室外の空気を室内へ給気し、熱交換器１０２を経由する給気経路１０４と、排気経路１０３に組み込まれる排気ファン１０５と、給気経路１０４に組み込まれる給気ファン１０６と、室外の空気の外気温度を検出する温度センサー１０７と、温度センサー１０７で検出した外気温度によって排気ファン１０５と給気ファン１０６の運転制御を行う制御部を備えている。
【０００６】
そして、熱交換器ユニット１０１の制御部は、外気温度が−１０℃を下回った時に、熱交換器１０２が凍結することを抑えるため、外気温度に応じて２つの凍結抑制制御を行い、この２つの凍結抑制制御は第１凍結抑制制御および第２凍結抑制制御である。
【０００７】
第１凍結抑制制御は、外気温度が−１０℃を下回った場合に、熱交換器１０２の凍結を抑制する制御であり、排気ファン１０５を常時作動させ、給気ファン１０６の動作を６０分のうち最初の１５分だけ休止させる運転を繰り返す。
【０００８】
第２凍結抑制制御は、外気温度が−１５℃を下回った場合に、第１凍結抑制制御よりも強力に熱交換器１０２の凍結を抑制する制御であり、排気ファン１０５および給気ファン１０６の間欠運転を行う。第２凍結抑制制御は、排気ファン１０５および給気ファン１０６を６０分休止させた後に５分だけ作動を再開させる運転を繰り返す。
【先行技術文献】
【特許文献】
【０００９】
【特許文献１】特許第３７４４４０９号公報
【発明の概要】
【発明が解決しようとする課題】
【００１０】
このような従来の熱交換器ユニット１０１では、外気温度が−１０℃を下回った場合の第１凍結抑制制御は、排気ファン１０５は常時作動させ、給気ファン１０６は６０分のうちの４５分だけ作動する運転を繰り返すため、給気ファン１０６が休止している１５分間は、室内が負圧になって、建物の隙間から室外の空気が流入し、コールドドラフトや結露を発生することがあった。
【００１１】
また、従来の熱交換器ユニット１０１は、外気温度が−１５℃を下回った場合の第２凍結抑制制御は、排気ファン１０５および給気ファン１０６は６５分のうちの５分だけ作動し、この５分の排気ファン１０５および給気ファン１０６の作動は、主に温度センサー１０７による外気温度の監視であり、殆どの時間は熱交換換気の運転が停止しているため、家屋やビルなどに必要な換気風量を熱回収しながら得ることができなかった。
【００１２】
本発明はこのような課題を解決するものであり、室外がきわめて低い温度となる寒冷地の冬季に運転されても、熱交換器内部での氷結の影響を回避して、本来の熱交換換気を継続して実施することができ、さらに、コールドドラフトや結露の発生がない快適な居住空間を実現できる熱交換形換気装置を提供することを目的としている。
【課題を解決するための手段】
【００１３】
そして、この目的を達成するために本発明は、熱交換形換気装置は第一の本体箱と、第二の本体箱を備え、前記第一の本体箱は、第一の熱交換器と、第一の送風機と、第一の室内排気口と、第一の室外排気口と、第一の室外給気口と、第一の室内給気口と、第一の還流口と、第一の排気流遮蔽手段と、第一の給気流遮蔽手段と、第一の還流遮蔽手段を備え、前記第一の熱交換器は第一の熱交排気流路および第一の熱交給気流路を備え、前記第一の送風機は第一の排気流と、第一の給気流と、第一の室内空気循環流を送風し、前記第一の室内排気口は前記第一の排気流の前記第一の本体箱への流入口であり、前記第一の室外排気口は前記第一の本体箱から前記第一の排気流の吐出口であり、前記第一の室外給気口は前記第一の給気流の前記第一の本体箱への流入口であり、前記第一の室内給気口は前記第一の本体箱から前記第一の給気流の吐出口であり、前記第一の還流口は、デフロスト運転時、前記第一の室内空気循環流の流入口または吐出口であり、前記第一の排気流遮蔽手段は前記第一の排気流の経路の遮蔽と開放を行い、前記第一の給気流遮蔽手段は前記第一の給気流の経路の遮蔽と開放を行い、前記第一の還流遮蔽手段は前記第一の室内空気循環流の遮蔽と開放を行い、前記第二の本体箱は、第二の熱交換器と、第二の送風機と、第二の室内排気口と、第二の室外排気口と、第二の室外給気口と、第二の室内給気口と、第二の還流口と、第二の排気流遮蔽手段と、第二の給気流遮蔽手段と、第二の還流遮蔽手段を備え、前記第二の熱交換器は第二の熱交排気流路および第二の熱交給気流路を備え、前記第二の送風機は第二の排気流と、第二の給気流と、第二の室内空気循環流を送風し、前記第二の室内排気口は前記第二の排気流の前記第二の本体箱への流入口であり、前記第二の室外排気口は前記第二の本体箱から前記第二の排気流の吐出口であり、前記第二の室外給気口は前記第二の給気流の前記第二の本体箱への流入口であり、前記第二の室内給気口は前記第二の本体箱から前記第二の給気流の吐出口であり、前記第二の還流口は、デフロスト運転時、前記第二の室内空気循環流の流入口または吐出口であり、前記第二の排気流遮蔽手段は前記第二の排気流の経路の遮蔽と開放を行い、前記第二の給気流遮蔽手段は前記第二の給気流の経路の遮蔽と開放を行い、前記第二の還流遮蔽手段は前記第二の室内空気循環流の遮蔽と開放を行い、前記第一および／または第二の熱交排気流路において結露や氷結が起こる時、前記第一の熱交換器は氷結時の熱交換気運転、前記第二の熱交換器はデフロスト運転を行い、その後、前記第二の熱交換器は氷結時の熱交換気運転、前記第一の熱交換器はデフロスト運転を行うというように、前記第一および第二の熱交換器にて氷結時の熱交換気運転とデフロスト運転を順次切り換える構成とし、前記第一および第二の熱交排気流路において結露や氷結が起こらない時、前記第一および第二の熱交換器は通常時の熱交換気運転を行う構成としたことを特徴とする熱交換形換気装置であり、これにより、所期の目的を達成するものである。
【発明の効果】
【００１４】
本発明によれば、室外がきわめて低い温度となる寒冷地で運転した場合、第一および第二の熱交排気流路での氷結の影響を受けないようにして、本来の氷結時の熱交換気運転を継続することができ、また、室外の温度が高い場合、第一および第二の熱交換器を用いて通常時の熱交換気運転をすることにより、高い熱交換効率を得ることができる熱交換形換気装置を提供することができる。
【図面の簡単な説明】
【００１５】
【図１】本発明の実施の形態１の熱交換形換気装置を示す断面図
【図２】同第一の本体箱の熱交換気運転を示す断面図
【図３】同第一の本体箱の第一の排気流循環経路を用いた第一のデフロスト運転を示す断面図
【図４】同第一の本体箱の第一の給気流循環経路を用いた第一のデフロスト運転を示す断面図
【図５】同第一の本体箱の第一の給排気流循環経路を用いた第一のデフロスト運転を示す断面図
【図６】同第一の本体箱の第一の排気流循環経路と第一の給気流循環経路を用いた第一のデフロスト運転を示す断面図
【図７】（ａ）同熱交換形換気装置の排気流循環経路を用いたデフロスト運転と氷結時の熱交換気運転を示す概略断面図、（ｂ）同熱交換形換気装置の排気流循環経路を用いたデフロスト運転と氷結時の熱交換気運転を示す概略断面図
【図８】（ａ）同熱交換形換気装置の給気流循環経路を用いたデフロスト運転と氷結時の熱交換気運転を示す概略断面図、（ｂ）同熱交換形換気装置の給気流循環経路を用いたデフロスト運転と氷結時の熱交換気運転を示す概略断面図
【図９】（ａ）同熱交換形換気装置の給排気流循環経路を用いたデフロスト運転と氷結時の熱交換気運転を示す概略断面図、（ｂ）同熱交換形換気装置の給排気流循環経路を用いたデフロスト運転と氷結時の熱交換気運転を示す概略断面図
【図１０】（ａ）同熱交換形換気装置の排気流循環経路と給気流循環経路を用いたデフロスト運転と氷結時の熱交換気運転を示す概略断面図、（ｂ）同熱交換形換気装置の排気流循環経路と給気流循環経路を用いたデフロスト運転と氷結時の熱交換気運転を示す概略断面図
【図１１】同熱交換形換気装置の通常時の熱交換気運転を示す概略断面図
【図１２】従来の熱交換器ユニットを示す断面図
【発明を実施するための形態】
【００１６】
本発明の請求項１に記載の熱交換形換気装置は、熱交換形換気装置は第一の本体箱と、第二の本体箱を備え、前記第一の本体箱は、第一の熱交換器と、第一の送風機と、第一の室内排気口と、第一の室外排気口と、第一の室外給気口と、第一の室内給気口と、第一の還流口と、第一の排気流遮蔽手段と、第一の給気流遮蔽手段と、第一の還流遮蔽手段を備え、前記第一の熱交換器は第一の熱交排気流路および第一の熱交給気流路を備え、前記第一の送風機は第一の排気流と、第一の給気流と、第一の室内空気循環流を送風し、前記第一の室内排気口は前記第一の排気流の前記第一の本体箱への流入口であり、前記第一の室外排気口は前記第一の本体箱から前記第一の排気流の吐出口であり、前記第一の室外給気口は前記第一の給気流の前記第一の本体箱への流入口であり、前記第一の室内給気口は前記第一の本体箱から前記第一の給気流の吐出口であり、前記第一の還流口は、デフロスト運転時、前記第一の室内空気循環流の流入口または吐出口であり、前記第一の排気流遮蔽手段は前記第一の排気流の経路の遮蔽と開放を行い、前記第一の給気流遮蔽手段は前記第一の給気流の経路の遮蔽と開放を行い、前記第一の還流遮蔽手段は前記第一の室内空気循環流の遮蔽と開放を行い、前記第二の本体箱は、第二の熱交換器と、第二の送風機と、第二の室内排気口と、第二の室外排気口と、第二の室外給気口と、第二の室内給気口と、第二の還流口と、第二の排気流遮蔽手段と、第二の給気流遮蔽手段と、第二の還流遮蔽手段を備え、前記第二の熱交換器は第二の熱交排気流路および第二の熱交給気流路を備え、前記第二の送風機は第二の排気流と、第二の給気流と、第二の室内空気循環流を送風し、前記第二の室内排気口は前記第二の排気流の前記第二の本体箱への流入口であり、前記第二の室外排気口は前記第二の本体箱から前記第二の排気流の吐出口であり、前記第二の室外給気口は前記第二の給気流の前記第二の本体箱への流入口であり、前記第二の室内給気口は前記第二の本体箱から前記第二の給気流の吐出口であり、前記第二の還流口は、デフロスト運転時、前記第二の室内空気循環流の流入口または吐出口であり、前記第二の排気流遮蔽手段は前記第二の排気流の経路の遮蔽と開放を行い、前記第二の給気流遮蔽手段は前記第二の給気流の経路の遮蔽と開放を行い、前記第二の還流遮蔽手段は前記第二の室内空気循環流の遮蔽と開放を行い、前記第一および／または第二の熱交排気流路において結露や氷結が起こる時、前記第一の熱交換器は氷結時の熱交換気運転、前記第二の熱交換器はデフロスト運転を行い、その後、前記第二の熱交換器は氷結時の熱交換気運転、前記第一の熱交換器はデフロスト運転を行うというように、前記第一および第二の熱交換器にて氷結時の熱交換気運転とデフロスト運転を順次切り換える構成とし、前記第一および第二の熱交排気流路において結露や氷結が起こらない時、前記第一および第二の熱交換器は通常時の熱交換気運転を行う構成としたものであり、室外がきわめて低い温度となる寒冷地で運転した場合、第一および第二の熱交排気流路での氷結の影響を受けないようにして、本来の氷結時の熱交換気運転を継続することができ、また、室外の温度が高い場合、第一および第二の熱交換器を用いて通常時の熱交換気運転をすることにより、高い熱交換効率を得ることができる。
【００１７】
また、請求項２に記載の熱交換形換気装置は、請求項１に記載の熱交換形換気装置について、第一および第二の本体箱は第一および／または第二の熱交排気流路における結露や氷結の影響を検知する第一および／または第二の検知手段を備え、前記第一および／または第二の熱交排気流路において結露や氷結が起こる時は、氷結時の熱交換気運転とデフロスト運転の切り換えを行い、前記第一および第二の熱交排気流路において結露や氷結が起こらない時は、通常時の熱交換気運転を行う運転制御する構成としたものであり、第一および／または第二の熱交排気流路における結露や氷結の影響を検知する第一および／または第二の検知手段により、第一および第二の熱交換器内を氷結させるような室外がきわめて低い温度となる寒冷地で運転した場合であっても、本来の氷結時の熱交換気運転を継続することができ、また、室外の温度が高い場合、第一および第二の熱交換器を用いて通常時の熱交換気運転をすることにより、高い熱交換効率を得ることができる。
【００１８】
また、請求項３に記載の熱交換形換気装置は、請求項１に記載の熱交換形換気装置について、氷結時の熱交換気運転は、デフロスト運転の第一および第二の室内空気循環流の経路を第一および第二の還流遮蔽手段にて遮蔽して氷結時の熱交換気運転を行い、デフロスト運転は、氷結時の熱交換気運転の第一および第二の排気流の経路と第一および第二の給気流の経路を第一および第二の排気流遮蔽手段と第一および第二の給気流遮蔽手段にて遮蔽してデフロスト運転を行い、通常時の熱交換気運転は、デフロスト運転の室内空気循環流の経路を前記第一および第二の還流遮蔽手段にて遮蔽して前記通常時の熱交換気運転を行う構成としたものであり、第一および第二の還流遮蔽手段と、第一および第二の排気流遮蔽手段と、第一および第二の給気流遮蔽手段にて、室外がきわめて低い温度となる寒冷地で運転した場合、第一および第二の熱交換器に対して、氷結時の熱交換気運転とデフロスト運転を同時に、且つ順次切り換えることができ、本来の氷結時の熱交換気運転を継続することができ、また、室外の温度が高い場合、第一および第二の熱交換器に対して、通常時の熱交換気運転に切り換えることができ、高い熱交換効率を得ることができる。
【００１９】
また、請求項４に記載の熱交換形換気装置は、請求項３に記載の熱交換形換気装置について、室内空気を用いてデフロスト運転を行う構成としたものであり、室内の排気と給気のバランスを容易にとることができるとともに、デフロスト運転は室内空気の有するエネルギーを室内に戻すことによって、エネルギーのロスを抑えることができる。
【００２０】
また、請求項５に記載の熱交換形換気装置は、請求項４に記載の熱交換形換気装置について、第一および第二の排気流において室内の空気を第一および第二の熱交排気流路の上流側とした場合、第一および第二の室内空気循環流は、前記第一および第二の熱交排気流路の上流側から第一および第二の熱交換器に室内空気を通過させ、前記第一および第二の熱交排気流路の下流側から室内に戻す第一および第二の排気流循環経路を形成し、デフロスト運転は前記第一および第二の排気流循環経路を用いた構成としたものであり、第一および第二の排気流循環経路を用いたデフロスト運転によって、第一および／または第二の熱交排気流路の結露や氷結を融解、乾燥させることで、氷結時の熱交換気運転を長時間支障なく継続することができる。
【００２１】
また、請求項６に記載の熱交換形換気装置は、請求項４に記載の熱交換形換気装置について、第一および第二の給気流において室外の空気を第一および第二の熱交給気流路の上流側とした場合、第一および第二の室内空気循環流は、前記第一および第二の熱交給気流路の上流側から第一および第二の熱交換器に室内空気を通過させ、前記第一および第二の熱交給気流路の下流側から室内に戻す第一および第二の給気流循環経路を形成し、デフロスト運転は前記第一および第二の給気流循環経路を用いた構成としたものであり、第一および／または第二の熱交排気流路における結露や氷結の融解、乾燥を、第一および第二の熱交給気流路を通過する第一および第二の給気流循環経路を用いたデフロスト運転によって促進することができる。また、第一および第二の熱交給気流路は結露や氷結が起こらないため、第一および第二の室内空気循環流は第一および第二の熱交給気流路内で容易に通風することができ、第一および／または第二の熱交排気流路における結露や氷結の融解、乾燥を、一層促進することができる。
【００２２】
また、請求項７に記載の熱交換形換気装置は、請求項５および６に記載の熱交換形換気装置について、デフロスト運転は、第一および第二の排気流循環経路と第一および第二の給気流循環経路を同時または交互に用いた構成としたものであり、第一および第二の排気流循環経路を用いたデフロスト運転によって、第一および／または第二の熱交排気流路の結露や氷結を融解、乾燥させ、更に第一および／または第二の熱交排気流路における結露や氷結の融解、乾燥を、第一および第二の熱交給気流路を通過する第一および第二の給気流循環経路を用いたデフロスト運転によって促進することができ、また、第一および第二の熱交給気流路は結露や氷結が起こらないため、第一および第二の室内空気循環流は第一および第二の熱交給気流路内で容易に通風することができ、第一および／または第二の熱交排気流路における結露や氷結の融解、乾燥を、一層促進することができ、第一および／または第二の熱交排気流路の結露や氷結による影響を短時間で回復することができる。
【００２３】
また、請求項８に記載の熱交換形換気装置は、請求項４に記載の熱交換形換気装置について、第一および第二の排気流において室内の空気を第一および第二の熱交排気流路の上流側とし、第一および第二の給気流において室外の空気を第一および第二の熱交給気流路の上流側とした場合、第一および第二の室内空気循環流は、前記第一および第二の熱交排気流路の上流側から第一および第二の熱交換器に室内空気を通過させ、次に前記第一および第二の熱交排気流路の下流側から前記第一および第二の熱交給気流路の上流側へ流通し、更に前記第一および第二の熱交給気流路の上流側から前記第一および第二の熱交換器に通過させ、前記第一および第二の熱交給気流路の下流側から室内に戻す第一および第二の給俳気流循環経路を形成し、デフロスト運転は前記第一および第二の給俳気流循環経路を用いた構成としたものであり、第一および／または第二の熱交排気流路における結露や氷結の融解、乾燥を一つの流れの第一および第二の給俳気流循環経路を用いたデフロスト運転で達成することができる。
【００２４】
また、請求項９に記載の熱交換形換気装置は、請求項７に記載の熱交換形換気装置について、第一および第二の排気流循環経路において、第一および第二の還流口は第一および第二の排気還流口であり、前記第一および第二の排気還流口は第一および第二の熱交排気流路の下流側に設け、第一および第二の還流遮蔽手段は第一および第二の排気還流遮蔽ダンパーであり、前記第一および第二の排気還流遮蔽ダンパーは、第一および第二の室内空気循環流の前記第一および第二の排気流循環経路の遮蔽および開放を行い、氷結時の熱交換気運転および通常時の熱交換気運転を行っている時は、前記第一および第二の排気還流遮蔽ダンパーは遮蔽し、前記第一および第二の排気流循環経路を用いたデフロスト運転を行っている時は、前記第一および第二の排気還流遮蔽ダンパーは開放し、前記第一および第二の室内空気循環流は、前記第一および第二の熱交排気流路の下流側から前記第一および第二の排気還流口を通過して室内に戻る構成としたものであり、ダンパーの切り換えによって、氷結時の熱交換気運転と、通常時の熱交換気運転と、デフロスト運転を切り換え、また、ダンパーの切り換えによって、第一および第二の室内空気循環流の第一および第二の排気流循環経路を形成し、第一および第二の排気流循環経路を用いたデフロスト運転によって、第一および／または第二の熱交排気流路の結露や氷結を融解、乾燥させることで、氷結時の熱交換気運転を長時間支障なく継続することができる。
【００２５】
また、請求項１０に記載の熱交換形換気装置は、請求項７に記載の熱交換形換気装置について、第一および第二の給気流循環経路において、第一および第二の還流口は第一および第二の給気還流口であり、前記第一および第二の給気還流口は第一および第二の熱交給気流路の上流側に設け、第一および第二の還流遮蔽手段は第一および第二の給気還流遮蔽ダンパーであり、前記第一および第二の給気還流遮蔽ダンパーは、第一および第二の室内空気循環流の前記第一および第二の給気流循環経路の遮蔽および開放を行い、氷結時の熱交換気運転および通常時の熱交換気運転を行っている時は、前記第一および第二の給気還流遮蔽ダンパーは遮蔽し、前記第一および第二の給気流循環経路を用いたデフロスト運転を行っている時は、前記第一および第二の給気還流遮蔽ダンパーは開放し、前記第一および第二の室内空気循環流は、前記第一および第二の給気還流口を通過して前記第一および第二の熱交給気流路の上流側に流入する構成としたものであり、ダンパーの切り換えによって、氷結時の熱交換気運転と、通常時の熱交換気運転と、デフロスト運転を切り換え、また、ダンパーの切り換えによって、第一および第二の室内空気循環流の第一および第二の給気流循環経路を形成し、第一および／または第二の熱交排気流路における結露や氷結の融解、乾燥を、第一および第二の熱交給気流路を通過する第一および第二の給気流循環経路を用いたデフロスト運転によって促進することができる。
【００２６】
また、請求項１１に記載の熱交換形換気装置は、請求項８に記載の熱交換形換気装置について、第一および第二の給俳気流循環経路において、第一および第二の還流口は第一および第二の給俳気還流口であり、第一および第二の熱交排気流路の下流側と第一および第二の熱交給気流路の上流側の間に設け、第一および第二の還流遮蔽手段は第一および第二の給俳気還流遮蔽ダンパーであり、前記第一および第二の給俳気還流遮蔽ダンパーは、第一および第二の室内空気循環流の前記第一および第二の給俳気流循環経路の遮蔽および開放を行い、氷結時の熱交換気運転および通常時の熱交換気運転を行っている時は、前記第一および第二の給俳気還流遮蔽ダンパーは遮蔽し、前記第一および第二の給俳気流循環経路を用いたデフロスト運転を行っている時は、前記第一および第二の給俳気還流遮蔽ダンパーは開放し、前記第一および第二の室内空気循環流は、前記第一および第二の熱交排気流路の下流側から前記第一および第二の給俳気還流口を通過して前記第一および第二の熱交給気流路の上流側に流入する構成としたものであり、ダンパーの切り換えによって、氷結時の熱交換気運転と、通常時の熱交換気運転と、デフロスト運転を切り換え、また、ダンパーの切り換えによって、第一および第二の室内空気循環流の第一および第二の給排気流循環経路を形成し、第一および／または第二の熱交排気流路における結露や氷結の融解、乾燥を一つの流れの第一および第二の給俳気流循環経路を用いたデフロスト運転で達成することができる。
【００２７】
また、請求項１２に記載の熱交換形換気装置は、請求項９に記載の熱交換形換気装置について、第一および第二の排気流循環経路において、第一および第二の排気還流遮蔽ダンパーは第一および第二の排気還流口の遮蔽および開放を行う構成としたものであり、第一および第二の排気還流口を、第一および第二の排気還流遮蔽ダンパーにて遮蔽と開放を行うことにより、第一および第二の排気流循環経路の遮蔽と開放が容易に行えるため、氷結時の熱交換気運転と、通常時の熱交換気運転と、デフロスト運転を容易に切り換えることができる。
【００２８】
また、請求項１３に記載の熱交換形換気装置は、請求項１０に記載の熱交換形換気装置について、第一および第二の給気流循環経路において、第一および第二の給気還流遮蔽ダンパーは第一および第二の給気還流口の遮蔽および開放を行う構成としたものであり、第一および第二の給気還流口を、第一および第二の給気還流遮蔽ダンパーにて遮蔽と開放を行うことにより、第一および第二の給気流循環経路の遮蔽と開放が容易に行えるため、氷結時の熱交換気運転と、通常時の熱交換気運転と、デフロスト運転を容易に切り換えることができる。
【００２９】
また、請求項１４に記載の熱交換形換気装置は、請求項１１に記載の熱交換形換気装置について、第一および第二の給俳気流循環経路において、第一および第二の給俳気還流遮蔽ダンパーは第一および第二の給排気還流口の遮蔽および開放を行う構成としたものであり、第一および第二の給排気還流口を、第一および第二の給排気還流遮蔽ダンパーにて遮蔽と開放を行うことにより、第一および第二の給排気流循環経路の遮蔽と開放が容易に行えるため、氷結時の熱交換気運転と、通常時の熱交換気運転と、デフロスト運転を容易に切り換えることができる。
【００３０】
また、請求項１５に記載の熱交換形換気装置は、請求項３に記載の熱交換形換気装置について、氷結時の熱交換気運転および通常時の熱交換気運転を行っている時は、第一および第二の排気流遮蔽手段は第一および第二の排気流の経路を開放し、第一および第二の給気流遮蔽手段は第一および第二の給気流の経路を開放し、デフロスト運転を行っている時は、第一および第二の排気流において室内の空気を第一および第二の熱交排気流路の上流側とした場合、前記第一および第二の排気流遮蔽手段は、前記第一および第二の排気流の経路の少なくとも前記第一および第二の熱交排気流路の下流側を遮蔽し、前記第一および第二の給気流において室外の空気を第一および第二の熱交給気流路の上流側とした場合、前記第一および第二の給気流遮蔽手段は、前記第一および第二の給気流の経路の少なくとも前記熱交給気流路の上流側を遮蔽した構成としたものであり、第一および第二の排気流遮蔽手段と、第一および第二の給気流遮蔽手段により、室外がきわめて低い温度となる寒冷地で運転した場合、第一および第二の熱交換器に対して、氷結時の熱交換気運転とデフロスト運転を同時に、且つ順次切り換えることができ、本来の氷結時の熱交換気運転を継続することができ、また、室外の温度が高い場合、第一および第二の熱交換器に対して、通常時の熱交換気運転に切り換えることができ、高い熱交換効率を得ることができる。また、第一および第二の排気流遮蔽手段は、第一および第二の排気流の経路の少なくとも第一および第二の熱交排気流路の下流側を遮蔽し、第一および第二の給気流遮蔽手段は、前記第一および第二の給気流の経路の少なくとも前記熱交給気流路の上流側を遮蔽することにより、室外がきわめて低い温度となる寒冷地でデフロスト運転を行った場合、第一および第二の熱交換器は、室外のきわめて低い外気に接触することがなく、結露や氷結の影響を抑えることができる。
【００３１】
また、請求項１６に記載の熱交換形換気装置は、請求項１５に記載の熱交換形換気装置について、第一および第二の排気流の経路において、第一および第二の排気流遮蔽手段は第一および第二の室外排気口遮蔽ダンパーであり、前記第一および第二の室外排気口遮蔽ダンパーは、前記第一および第二の熱交排気流路の下流側の遮蔽および開放を行い、第一および第二の給気流の経路において、第一および第二の給気流遮蔽手段は第一および第二の室外給気口遮蔽ダンパーであり、前記第一および第二の室外給気口遮蔽ダンパーは、前記第一および第二の熱交給気流路の上流側の遮蔽および開放を行い、氷結時の熱交換気運転および通常時の熱交換気運転を行っている時は、前記第一および第二の室外排気口遮蔽ダンパーと前記第一および第二の室外給気口遮蔽ダンパーは開放し、デフロスト運転を行っている時は、前記第一および第二の室外排気口遮蔽ダンパーと前記第一および第二の室外給気口遮蔽ダンパーは遮蔽する構成としたものであり、第一および第二の室外排気口遮蔽ダンパーの切り換えと、第一および第二の室外給気口遮蔽ダンパーの切り換えによって、氷結時の熱交換気運転と、通常時の熱交換気運転と、デフロスト運転を切り換え、また、第一および第二の室外排気口遮蔽ダンパーは第一および第二の熱交排気流路の下流側を遮蔽し、第一および第二の室外給気口遮蔽ダンパーは第一および第二の熱交給気流路の上流側を遮蔽することにより、室外がきわめて低い温度となる寒冷地でデフロスト運転を行った場合、第一および第二の熱交換器は、室外のきわめて低い外気に接触することがなく、結露や氷結の影響を抑えることができる。
【００３２】
また、請求項１７に記載の熱交換形換気装置は、請求項５および１６に記載の熱交換形換気装置について、第一および第二の排気流の経路において、第一および第二の排気流遮蔽手段は第一および第二の室内排気口遮蔽ダンパーであり、前記第一および第二の室内排気口遮蔽ダンパーは、第一および第二の熱交排気流路の上流側の遮蔽および開放を行い、第一および第二の給気流の経路において、第一および第二の給気流遮蔽手段は第一および第二の室内給気口遮蔽ダンパーであり、前記第一および第二の室内給気口遮蔽ダンパーは、第一および第二の熱交給気流路の下流側の遮蔽および開放を行い、氷結時の熱交換気運転および通常時の熱交換気運転を行っている時は、前記第一および第二の室内排気口遮蔽ダンパーと前記第一および第二の室内給気口遮蔽ダンパーは開放し、第一および第二の排気流循環経路を用いたデフロスト運転を行っている時は、前記第一および第二の室内排気口遮蔽ダンパーは開放し、前記第一および第二の室内給気口遮蔽ダンパーは遮蔽または開放する構成としたものであり、第一および第二の室内排気口遮蔽ダンパーの切り換えと、第一および第二の室内給気口遮蔽ダンパーの切り換えによって、氷結時の熱交換気運転と、通常時の熱交換気運転と、デフロスト運転を切り換え、また、第一および第二の排気流循環経路を用いたデフロスト運転を行っている場合、第一および第二の室内給気口遮蔽ダンパーを遮蔽すると、デフロスト運転を行っている給気流の経路の気密性を向上することができる。
【００３３】
また、請求項１８に記載の熱交換形換気装置は、請求項６および１７に記載の熱交換形換気装置について、第一および第二の給気流循環経路を用いたデフロスト運転を行っている時は、第一および第二の室内排気口遮蔽ダンパーは遮蔽または開放し、第一および第二の室内給気口遮蔽ダンパーは開放する構成としたものであり、第一および第二の室内排気口遮蔽ダンパーの切り換えと、第一および第二の室内給気口遮蔽ダンパーの切り換えによって、氷結時の熱交換気運転と、通常時の熱交換気運転と、デフロスト運転を切り換え、また、第一および第二の給気流循環経路を用いたデフロスト運転を行っている場合、第一および第二の室内排気口遮蔽ダンパーを遮蔽すると、デフロスト運転を行っている排気流の経路の気密性を向上することができる。
【００３４】
また、請求項１９に記載の熱交換形換気装置は、請求項８および１７に記載の熱交換形換気装置について、第一および第二の給俳気流循環経路を用いたデフロスト運転を行っている時は、第一および第二の室内排気口遮蔽ダンパーと第一および第二の室内給気口遮蔽ダンパーは開放する構成としたものであり、第一および第二の室内排気口遮蔽ダンパーの切り換えと、第一および第二の室内給気口遮蔽ダンパーの切り換えによって、氷結時の熱交換気運転と、通常時の熱交換気運転と、デフロスト運転を切り換えることができる。
【００３５】
また、請求項２０に記載の熱交換形換気装置は、請求項１６乃至１９のいずれかに記載の熱交換形換気装置について、第一および第二の排気流において、第一および第二の室内排気口遮蔽ダンパーは第一および第二の室内排気口の遮蔽および開放を行い、第一および第二の室外排気口遮蔽ダンパーは第一および第二の室外排気口の遮蔽および開放を行い、第一および第二の給気流において、第一および第二の室外給気口遮蔽ダンパーは第一および第二の室外給気口の遮蔽および開放を行い、第一および第二の室内給気口遮蔽ダンパーは第一および第二の室内給気口の遮蔽および開放を行う構成としたものであり、第一および第二の室内排気口と、第一および第二の室外排気口と、第一および第二の室外給気口と、第一および第二の室内給気口とを、ダンパーの切り換えによって遮蔽と開放を行うことにより、第一および第二の排気流の経路と第一および第二の給気流の経路の遮蔽と開放が容易に行えるため、氷結時の熱交換気運転と、通常時の熱交換気運転と、デフロスト運転を容易に切り換えることができる。
【００３６】
また、請求項２１に記載の熱交換形換気装置は、請求項７および８のいずれかに記載の熱交換形換気装置について、第一および第二の送風機は第一および第二の排気羽根と第一および第二の給気羽根を備え、前記第一および第二の排気羽根は、氷結時の熱交換気運転および通常時の熱交換気運転を行う時は第一および第二の排気流の経路を送風し、デフロスト運転を行う時は第一および第二の室内空気循環流の第一および第二の排気流循環経路を送風し、前記第一および第二の給気羽根は、氷結時の熱交換気運転および通常時の熱交換気運転を行う時は第一および第二の給気流の経路を送風し、デフロスト運転を行う時は前記第一および第二の室内空気循環流の第一および第二の給気流循環経路を送風し、前記第一および第二の排気羽根および／または第一および第二の給気羽根は、デフロスト運転を行う時は前記第一および第二の室内空気循環流の第一および第二の給俳気流循環経路を送風する構成としたものであり、第一および第二の送風機は、それぞれ一つの送風機で、氷結時の熱交換気運転と、通常時の熱交換気運転と、デフロスト運転の送風を行うことができる。
【００３７】
また、請求項２２に記載の熱交換形換気装置は、請求項１に記載の熱交換形換気装置について、氷結時の熱交換気運転において、第一および第二の熱交換器に通風させる第一および第二の排気流と第一および第二の給気流の風量は、通常時の熱交換気運転において、第一および第二の熱交換器に通風させる第一および第二の排気流と第一および第二の給気流の風量が等しい構成としたものであり、氷結時の熱交換気運転の第一および第二の排気流と第一および第二の給気流の風量と、通常時の熱交換気運転の第一および第二の排気流と第一および第二の給気流の風量を等しくすることによって、室外がきわめて低い温度となる寒冷地や室外の温度が高い時など、熱交換形換気装置を使用する地域や時期に関わらず、家屋やビルなどに必要な換気風量を熱回収しながら得ることができる。
【００３８】
また、請求項２３に記載の熱交換形換気装置は、請求項１に記載の熱交換形換気装置について、通常時の熱交換気運転において、第一および第二の排気流と第一および第二の給気流は第一および第二の熱交換器に対して一度通風させる構成としたものであり、第一および第二の排気流と第一および第二の給気流は、第一および第二の熱交換器に対して直列に通風すると、第一の熱交換器と第二の熱交換器を通過するごとに第一および第二の熱交換器による通気抵抗が増加するため、第一および第二の送風機は大型化し、消費電力も高くなるが、第一および第二の排気流と第一および第二の給気流は、第一および第二の熱交換器に対して並列に一度通通することによって、第一および第二の排気流と第一および第二の給気流は第一および第二の熱交換器に分散して通風されるため、第一および第二の熱交換器を通過する風速が低下することによって、第一および第二の熱交換器の通気抵抗の低減および熱交換効率の向上を両立することができる。
【００３９】
以下、本発明の実施の形態について、図１〜図１１を参照しながら説明する。
【００４０】
（実施の形態１）
図１に示すように、熱交換形換気装置１は、第一の本体箱２ａと、第二の本体箱２ｂを備え、第一の本体箱２ａは、第一の熱交換器３ａと、第一の送風機４ａと、第一の室内排気口５ａと、第一の室外排気口６ａと、第一の室外給気口７ａと、第一の室内給気口８ａと、第一の排気流遮蔽手段として第一の室内排気口遮蔽ダンパー２３ａと第一の室外排気口遮蔽ダンパー２４ａと、第一の給気流遮蔽手段として第一の室外給気口遮蔽ダンパー２５ａと第一の室内給気口遮蔽ダンパー２６ａを備えた構成である。
【００４１】
第一の本体箱２ａの内部は、第一の送風機４ａは第一の電動機１４ａの回転軸に固着された第一の排気羽根１５ａによって室内の空気を室外へ排出する第一の排気流１６ａを通風させる第一の排気流の経路１７ａと、同じく第一の電動機１４ａの回転軸に固着された第一の給気羽根１８ａによって室外の空気を室内に給気する第一の給気流１９ａを通風させる第一の給気流の経路２０ａとを、一箇所で交差するように形成し、この交差する箇所に、第一の排気流１６ａが通過する第一の熱交排気流路２１ａと第一の給気流１９ａが通過する第一の熱交給気流路２２ａとを備えた第一の熱交換器３ａを設けている。第一の熱交換器３ａは第一の熱交排気流路２１ａと第一の熱交給気流路２２ａが交互に複数積層して形成されている。第一の排気流の経路１７ａにおいて、第一の室内排気口遮蔽ダンパー２３ａは第一の室内排気口５ａの遮蔽と開放を行い、第一の室外排気口遮蔽ダンパー２４ａは第一の室外排気口６ａの遮蔽と開放を行う構成である。そして、第一の排気流１６ａにおいて室内の空気を第一の熱交排気流路２１ａの上流側とした場合、第一の室内排気口遮蔽ダンパー２３ａは第一の熱交排気流路２１ａの上流側の遮蔽と開放を行い、第一の室外排気口遮蔽ダンパー２４ａは第一の熱交排気流路２１ａの下流側の遮蔽と開放を行う。また、第一の給気流の経路２０ａにおいて、第一の室外給気口遮蔽ダンパー２５ａは第一の室外給気口７ａの遮蔽と開放を行い、第一の室内給気口遮蔽ダンパー２６ａは第一の室内給気口８ａの遮蔽と開放を行う構成である。そして、第一の給気流１９ａにおいて室外の空気を第一の熱交給気流路２２ａの上流側とした場合、第一の室外給気口遮蔽ダンパー２５ａは第一の熱交給気流路２２ａの上流側の遮蔽と開放を行い、第一の室内給気口遮蔽ダンパー２６ａは第一の熱交給気流路２２ａの下流側の遮蔽と開放を行う。
【００４２】
上記のように構成された熱交換形換気装置１の第一の本体箱２ａを図２に示し、熱交換気運転について、以下に説明する。
【００４３】
図２に示すように、第一の排気流１６ａ（図中の実線矢印）において室内の空気を第一の熱交排気流路２１ａの上流側とした場合、第一の排気流１６ａは、室内の空気（ＲＡ）が第一の室内排気口５ａから第一の熱交排気流路２１ａの上流側へ流入し、第一の熱交排気流路２１ａを通過する時に第一の給気流１９ａと熱交換して、第一の熱交排気流路２１ａの下流側へ排気の空気（ＥＡ）となって流出し、第一の室外排気口６ａから室外へ吐出する第一の排気流の経路１７ａを形成している。また、第一の給気流１９ａ（図中の破線矢印）において室外の空気を第一の熱交給気流路２２ａの上流側とした場合、第一の給気流１９ａは、室外の空気（ＯＡ）が第一の室外給気口７ａから第一の熱交給気流路２２ａの上流側へ流入し、第一の熱交給気流路２２ａを通過する時に第一の排気流１６ａと熱交換して、第一の熱交給気流路２２ａの下流側へ給気の空気（ＳＡ）となって流出し、第一の室内給気口８ａから室内へ吐出する第一の給気流の経路２０ａを形成している。
【００４４】
ここで、第一の本体箱２ａは、第一の還流口として第一の排気還流口２９ａと第一の給気還流口３２ａと第一の給排気還流口３５ａと、第一の還流遮蔽手段として第一の排気還流遮蔽ダンパー３０ａと第一の給気還流遮蔽ダンパー３３ａと第一の給排気還流遮蔽ダンパー３６ａを備えている。
【００４５】
そして、第一の熱交換気運転は、第一の還流口である第一の排気還流口２９ａと第一の給気還流口３２ａと第一の給排気還流口３５ａを、第一の還流遮蔽手段である第一の排気還流遮蔽ダンパー３０ａと第一の給気還流遮蔽ダンパー３３ａと第一の給排気還流遮蔽ダンパー３６ａで遮蔽し、第一の室内排気口遮蔽ダンパー２３ａと第一の室外排気口遮蔽ダンパー２４ａを開放し、第一の排気流１６ａは、第一の排気羽根１５ａによって第一の排気流の経路１７ａに通風され、第一の室外給気口遮蔽ダンパー２５ａと第一の室内給気口遮蔽ダンパー２６ａを開放し、第一の給気流１９ａは第一の給気羽根１８ａによって第一の給気流の経路２０ａに通風されることにより、第一の熱交換器３ａが第一の排気流１６ａと第一の給気流１９ａとの間で熱交換しながら、室内空気の排気と室外空気の給気を行う。
【００４６】
ここで、室外がきわめて低い温度となる寒冷地において、図２で説明した第一の熱交換気運転を継続すると、室内の温かい湿度を含む第一の排気流１６ａは、きわめて低い温度の第一の給気流１９ａによって、第一の熱交排気流路２１ａで徐々に結露し氷結していく。氷結していくと熱交換気機能がわずかずつ低下して、本来の熱交換気運転を継続することができなくなる。
【００４７】
そこで、上記のように構成された熱交換形換気装置１の第一の本体箱２ａを図３〜図６に示し、寒冷地における冬季のデフロスト運転について、以下に説明する。
【００４８】
図３に示すように、第一の排気流１６ａ（図２）において室内の空気を第一の熱交排気流路２１ａの上流側とした場合、第一の室内空気循環流２７ａ（図中の点線矢印）は、第一の熱交排気流路２１ａの上流側から第一の熱交換器３ａに室内空気を通過させ、第一の熱交排気流路２１ａの下流側から室内に戻す第一の排気流循環経路を形成する。第一の排気流循環経路において、第一の排気還流口２９ａは第一の熱交排気流路２１ａの下流側に設け、第一の排気還流遮蔽ダンパー３０ａは排気還流口２９ａの遮蔽と開放を行うことで、第一の室内空気循環流２７ａの第一の排気流循環経路の遮蔽と開放を行う構成である。
【００４９】
また、図４に示すように、第一の給気流１９ａ（図２）において室外の空気を第一の熱交給気流路２２ａの上流側とした場合、第一の室内空気循環流２７ａ（図中の点線矢印）は、第一の熱交給気流路２２ａの上流側から第一の熱交換器３ａに室内空気を通過させ、第一の熱交給気流路２２ａの下流側から室内に戻す第一の給気流循環経路を形成する。第一の給気流循環経路において、第一の給気還流口３２ａは第一の熱交給気流路２２ａの上流側に設け、第一の給気還流遮蔽ダンパー３３ａは給気還流口３２ａの遮蔽と開放を行うことで、第一の室内空気循環流２７ａの第一の給気流循環経路の遮蔽と開放を行う構成である。
【００５０】
また、図５に示すように、第一の排気流１６ａ（図２）において室内の空気を第一の熱交排気流路２１ａの上流側とし、第一の給気流１９ａ（図２）において室外の空気を第一の熱交給気流路２２ａの上流側とした場合、第一の室内空気循環流２７ａ（図中の点線矢印）は、第一の熱交排気流路２１ａの上流側から第一の熱交換器３ａに室内空気を通過させ、次に第一の熱交排気流路２１ａの下流側から第一の熱交給気流路２２ａの上流側へ流通し、更に第一の熱交給気流路２２ａの上流側から第一の熱交換器３ａに通過させ、第一の熱交給気流路２２ａの下流側から室内に戻す第一の給排気流循環経路を形成する。第一の給排気流循環経路において、第一の給排気還流口３５ａは第一の熱交排気流路２１ａの下流側と第一の熱交給気流路２２ａの上流側の間に設け、第一の給排気還流遮蔽ダンパー３６ａは給排気還流口３５ａの遮蔽と開放を行うことで、第一の室内空気循環流２７ａの第一の給排気流循環経路の遮蔽と開放を行う構成である。
【００５１】
第一の排気流循環経路を用いた第一のデフロスト運転は、図３に示すように第一の室内空気循環流２７ａは、第一の排気羽根１５ａによって室内の空気（ＲＡ）が第一の室内排気口５ａから第一の熱交排気流路２１ａの上流側へ流入し、第一の熱交排気流路２１ａを通過する時に、第一の熱交排気流路２１ａの結露や氷結を融解、乾燥させ、次に第一の熱交排気流路２１ａの下流側から第一の排気還流口２９ａを通過して室内へ戻る。この時のダンパーの開閉は、第一の室内排気口遮蔽ダンパー２３ａと第一の排気還流遮蔽ダンパー３０ａは開放し、第一の室外排気口遮蔽ダンパー２４ａと、第一の室外給気口遮蔽ダンパー２５ａと、第一の給気還流遮蔽ダンパー３３ａと、第一の給排気還流遮蔽ダンパー３６ａは遮蔽し、第一の室内給気口遮蔽ダンパー２６ａは遮蔽および／または開放を行う。
【００５２】
第一の給気流循環経路を用いた第一のデフロスト運転は、図４に示すように第一の室内空気循環流２７ａは、第一の給気羽根１８ａによって室内の空気（ＲＡ）が第一の給気還流口３２ａから第一の熱交給気流路２２ａの上流側へ流入し、第一の熱交給気流路２２ａを通過する時に、第一の熱交排気流路２１ａの結露や氷結を融解、乾燥することを促進させ、次に第一の熱交給気流路２２ａの下流側から第一の室内給気口８ａを通過して室内へ戻る。この時のダンパーの開閉は、第一の給気還流遮蔽ダンパー３３ａと第一の室内給気口遮蔽ダンパー２６ａは開放し、第一の室外排気口遮蔽ダンパー２４ａと、第一の室外給気口遮蔽ダンパー２５ａと、第一の排気還流遮蔽ダンパー３０ａと、第一の給排気還流遮蔽ダンパー３６ａは遮蔽し、第一の室内排気口遮蔽ダンパー２３ａは遮蔽および／または開放を行う。
【００５３】
第一の給排気流循環経路を用いた第一のデフロスト運転は、図５に示すように第一の室内空気循環流２７ａは、第一の排気羽根１５ａおよび／または第一の給気羽根１８ａによって室内の空気（ＲＡ）が第一の室内排気口５ａから第一の熱交排気流路２１ａの上流側へ流入し、第一の熱交排気流路２１ａを通過する時に、第一の熱交排気流路２１ａの結露や氷結を融解、乾燥させ、次に第一の熱交排気流路２１ａの下流側から第一の給排気還流口３５ａを通過して第一の熱交給気流路２２ａの上流側へ流通し、更に第一の熱交給気流路２２ａの上流側から第一の熱交給気流路２２ａを通過する時に、第一の熱交排気流路２１ａの結露や氷結を融解、乾燥することを促進させ、次に第一の熱交給気流路２２ａの下流側から第一の室内給気口８ａを通過して室内へ戻る。この時のダンパーの開閉は、第一の室内排気口遮蔽ダンパー２３ａと、第一の給排気還流遮蔽ダンパー３６ａと、第一の室内給気口遮蔽ダンパー２６ａは開放し、第一の室外排気口遮蔽ダンパー２４ａと、第一の室外給気口遮蔽ダンパー２５ａと、第一の排気還流遮蔽ダンパー３０ａと、第一の給気還流遮蔽ダンパー３３ａは遮蔽を行う。
【００５４】
図６に示した第一の本体箱２ａは、図３に示した第一の排気流循環経路を用いた第一のデフロスト運転と、図４に示した第一の給気流循環経路を用いた第一のデフロスト運転を同時にまたは交互に行った運転であり、第一の排気流循環経路を用いた第一のデフロスト運転は、第一の熱交排気流路２１ａを通過する時に、第一の熱交排気流路２１ａの結露や氷結を融解、乾燥させ、第一の給気流循環経路を用いた第一のデフロスト運転は、第一の熱交給気流路２２ａを通過する時に、第一の熱交排気流路２１ａの結露や氷結を融解、乾燥することを促進させることで、第一の熱交排気流路２１ａの結露や氷結による影響を短時間で回復することができる。
【００５５】
図３〜図６に示した第一のデフロスト運転は、ダンパーの開閉について、第一の排気流遮蔽手段は、第一の排気流の経路１７ａの少なくとも第一の熱交排気流路２１ａの下流側を遮蔽し、すなわち、第一の室外排気口遮蔽ダンパー２４ａを遮蔽する構成とし、第一の給気流遮蔽手段は、第一の給気流の経路２０ａの少なくとも熱交給気流路２２ａの上流側を遮蔽し、すなわち、第一の室外給気口遮蔽ダンパー２５ａを遮蔽する構成とする。
【００５６】
上記のように構成された熱交換形換気装置１の第一の本体箱２ａの運転制御の構成を図２に示し、以下に説明する。
【００５７】
第一の本体箱２ａは図２に示すように、第一の検知手段は、第一の排気流１６ａの室内温度および／または室内湿度を検知する第一の室内環境検知手段３７ａと、第一の給気流１９ａの室外温度を検知する第一の室外温度検知手段３８ａである。第一の室内環境検知手段３７ａは、第一の排気流１６ａの第一の室内排気口５ａ近傍に設け、第一の室外温度検知手段３８ａは第一の給気流１９ａの第一の室外給気口７ａ近傍に設けている。
【００５８】
ここで、上記のように構成された熱交換形換気装置１の第二の本体箱２ｂの構成について、以下に説明する。
【００５９】
第二の本体箱２ｂは第一の本体箱２ａと同じ構成であり、詳細な説明や図面は省略する。第二の本体箱２ｂは、第二の熱交換器３ｂと、第二の送風機４ｂと、第二の室内排気口５ｂと、第二の室外排気口６ｂと、第二の室外給気口７ｂと、第二の室内給気口８ｂと、第二の還流口として第二の排気還流口２９ｂと第二の給気還流口３２ｂと第二の給排気還流口３５ｂと、第二の排気流遮蔽手段として第二の室内排気口遮蔽ダンパー２３ｂと第二の室外排気口遮蔽ダンパー２４ｂと、第二の給気流遮蔽手段として第二の室外給気口遮蔽ダンパー２５ｂと第二の室内給気口遮蔽ダンパー２６ｂと、第二の還流遮蔽手段として第二の排気還流遮蔽ダンパー３０ｂと第二の給気還流遮蔽ダンパー３３ｂと第二の給排気還流遮蔽ダンパー３６ｂと、第二の検知手段として第二の給気温度検知手段３７ｂと、第二の室外温度検知手段３８ｂと、第二の電動機１４ｂと、第二の排気羽根１５ｂと、第二の排気流１６ｂと、第二の排気流の経路１７ｂと、第二の給気羽根１８ｂと、第二の給気流１９ｂと、第二の給気流の経路２０ｂと、第二の熱交排気流路２１ｂと、第二の熱交給気流路２２ｂと、第二の室内空気循環流２７ｂと、第二の排気流循環経路と、第二の給気流循環経路と、第二の給排気流循環経路を備えた構成である。
【００６０】
上記のように構成された熱交換形換気装置１の第一の本体箱２ａおよび第二の本体箱２ｂの運転制御について、以下に説明する。
【００６１】
この明細書では、室外がきわめて低い温度となる寒冷地で、第一および／または第二の熱交排気流路２１ａ、２１ｂにおいて結露や氷結が起こる時は、第一の本体箱２ａを用いた熱交換気運転は、第一の氷結時の熱交換気運転とし、第二の本体箱２ｂを用いた熱交換気運転は、第二の氷結時の熱交換気運転とし、第一の本体箱２ａを用いたデフロスト運転は、第一のデフロスト運転とし、第二の本体箱２ｂを用いたデフロスト運転は、第二のデフロスト運転とする。また、室外の温度が高く、第一および第二の熱交排気流路２１ａ、２１ｂにおいて結露や氷結が起こらない時は、第一の本体箱２ａと第二の本体箱２ｂを用いた通常時の熱交換気運転とする。なお、第一の本体箱２ａを用いた熱交換気運転については、第一の氷結時の熱交換気運転および通常時の熱交換気運転は、第一の本体箱２ａの構成や通風の仕方は同様とし、第二の本体箱２ｂを用いた熱交換気運転については、第二の氷結時の熱交換気運転および通常時の熱交換気運転は、第二の本体箱２ｂの構成や通風の仕方は同様とする。
【００６２】
熱交換形換気装置１は運転を開始すると、第一の本体箱２ａの第一の熱交換器３ａと、第二の本体箱２ｂの第二の熱交換器３ｂの二つの熱交換器を用いた通常時の熱交換気運転を行う。第一および第二の本体箱２ａ、２ｂは、第一および第二の排気流１６ａ、１６ｂの室内温度および／または室内湿度を、第一および／または第二の室内環境検知手段３７ａ、３７ｂによって検知していき、また、第一および／または第二の給気流１９ａ、１９ｂの室外温度を、第一および／または第二の室外温度検知手段３８ａ、３８ｂによって検知していく。
【００６３】
ここで、室外がきわめて低い温度となる寒冷地では、通常時の熱交換気運転を継続すると、室内の温かい湿度を含む第一および／または第二の排気流１６ａ、１６ｂは、きわめて低い温度の第一および／または第二の給気流１９ａ、１９ｂによって、第一および／または第二の熱交排気流路２１ａ、２１ｂで徐々に結露し氷結していく。第一および／または第二の熱交排気流路２１ａ、２１ｂで結露し氷結していくことによって、第一および／または第二の熱交排気流路２１ａ、２１ｂで氷結の影響を受けるような室外温度と室内環境（室内温度および／または室内湿度）の関係を予め実験、計算などにより設定しておく。
【００６４】
そして、室外温度が徐々に低下していき、第一および／または第二の室内環境検知手段３７ａ、３７ｂと第一および／または第二の室外温度検知手段３８ａ、３８ｂによって、第一および／または第二の熱交排気流路２１ａ、２１ｂにおいて結露や氷結の影響を受けるような室外温度と室内環境（室内温度および／または室内湿度）の関係を検知すると、一方の本体箱の熱交換器は氷結時の熱交換気運転を行い、他方の本体箱の熱交換器はデフロスト運転を行い、第一および／または第二の熱交排気流路２１ａ、２１ｂが結露や氷結による影響がなくなるまで、氷結時の熱交換気運転とデフロスト運転を順次切り換えて運転する。
【００６５】
そして、室外温度が上昇し、第一および／または第二の室内環境検知手段３７ａ、３７ｂと第一および／または第二の室外温度検知手段３８ａ、３８ｂによって、第一および第二の熱交排気流路２１ａ、２１ｂにおいて結露や氷結の影響を受けないような室外温度と室内環境（室内温度および／または室内湿度）の関係を検知すると、第一の本体箱２ａの第一の熱交換器３ａと、第二の本体箱２ｂの第二の熱交換器３ｂの二つの熱交換器を用いた通常時の熱交換気運転を行う。
【００６６】
なお、熱交換形換気装置１の運転制御は、第一の本体箱２ａに備えた第一の室内環境検知手段３７ａおよび第一の室外温度検知手段３８ａと、第二の本体箱２ｂに備えた第二の室内環境検知手段３７ｂおよび第二の室外温度検知手段３８ｂを両方用いても、いずれかを用いても、第一および／または第二の熱交排気流路２１ａ、２１ｂにおいて結露や氷結を検知し、結露や氷結による影響がなくなるまで、氷結時の熱交換気運転とデフロスト運転を順次切り換えて運転すれば、その作用効果に差異はない。
【００６７】
また、熱交換形換気装置１は、第一および／または第二の熱交排気流路２１ａ、２１ｂにおける結露や氷結の影響を検知する第一および／または第二の検知手段として、第一および／または第二の室内環境検知手段３７ａ、３７ｂと第一および／または第二の室外温度検知手段３８ａ、３８ｂを用いて運転制御を行うと説明したが、第一および／または第二の熱交排気流路２１ａ、２１ｂにおける結露や氷結の影響を検知することができれば、その他の検知手段を用いても良い。
【００６８】
上記のように構成された熱交換形換気装置１の寒冷地における冬季の氷結時の熱交換気運転およびデフロスト運転を図７〜図１０に示し、以下に説明する。
【００６９】
図７ａ、図７ｂに示した熱交換形換気装置１の運転は、図２に示した第一の熱交換器３ａと第二の熱交換器３ｂを交互に用いた第一および第二の氷結時の熱交換気運転と、図３に示した第一および第二の排気流循環経路を用いた第一および第二のデフロスト運転である。
【００７０】
図７ａに示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて第一の氷結時の熱交換気運転を行い、第二の熱交換器３ｂには室内空気の第二の室内空気循環流２７ｂ（図中の点線矢印）が通風され、第二の熱交換器３ｂは第二の排気流循環経路を用いた第二のデフロスト運転を行っている。
【００７１】
第二の熱交換器３ｂ内では、第二の熱交排気流路２１ｂを流れる温かい第二の室内空気循環流２７ｂによって結露や氷結を融解し乾燥していき、温かい第二の室内空気循環流２７ｂのみが流れていたので、当初の結露や氷結がなくなり、乾燥した正常な状態に復帰する。
【００７２】
室外の温度が０℃未満となるような低温時に第一の氷結時の熱交換気運転を継続すると、第一の熱交換器３ａは冷たい第一の給気流１９ａによって温かい第一の排気流１６ａの流れる第一の熱交排気流路２１ａで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００７３】
次に図７ｂに示すように、熱交換形換気装置１は、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて第二の氷結時の熱交換気運転を行い、第一の熱交換器３ａには室内空気の第一の室内空気循環流２７ａ（図中の点線矢印）が通風され、第一の熱交換器３ａは第一の排気流循環経路を用いた第一のデフロスト運転を行っている。
【００７４】
第一の熱交換器３ａは、図７ａの運転により、第一の熱交排気流路２１ａに結露や氷結が起こっていても、第一の熱交換器３ａ内では、第一の熱交排気流路２１ａを流れる温かい第一の室内空気循環流２７ａによって結露や氷結を融解し乾燥していき、温かい第一の室内空気循環流２７ａのみが流れていたので、当初の結露や氷結がなくなり、乾燥した正常な状態に復帰する。
【００７５】
室外の温度が０℃未満となるような低温時に第二の氷結時の熱交換気運転を継続すると、第二の熱交換器３ｂは冷たい第二の給気流１９ｂによって温かい第二の排気流１６ｂの流れる第二の熱交排気流路２１ｂで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００７６】
図７ａおよび図７ｂに示した氷結時の熱交換気運転とデフロスト運転を順次切り換えることにより、室外がきわめて低い温度となる寒冷地で運転した場合でも、第一および第二の熱交排気流路２１ａ、２１ｂでの結露や氷結の影響を受けないようにして、本来の氷結時の熱交換気運転を継続することができる。
【００７７】
図８ａ、図８ｂに示した熱交換形換気装置１の運転は、図２に示した第一の熱交換器３ａと第二の熱交換器３ｂを交互に用いた第一および第二の氷結時の熱交換気運転と、図４に示した第一および第二の給気流循環経路を用いた第一および第二のデフロスト運転である。
【００７８】
図８ａに示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて第一の氷結時の熱交換気運転を行い、第二の熱交換器３ｂには室内空気の第二の室内空気循環流２７ｂ（図中の点線矢印）が通風され、第二の熱交換器３ｂは第二の排気流循環経路を用いた第二のデフロスト運転を行っている。
【００７９】
第二の熱交換器３ｂ内では、第二の熱交給気流路２２ｂを流れる温かい第二の室内空気循環流２７ｂによって、第二の熱交排気流路２１ｂの結露や氷結を融解、乾燥することを促進させ、当初の結露や氷結がなくなり、乾燥した正常な状態に復帰する。
【００８０】
室外の温度が０℃未満となるような低温時に第一の氷結時の熱交換気運転を継続すると、第一の熱交換器３ａは冷たい第一の給気流１９ａによって温かい第一の排気流１６ａの流れる第一の熱交排気流路２１ａで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００８１】
次に図８ｂに示すように、熱交換形換気装置１は、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて第二の氷結時の熱交換気運転を行い、第一の熱交換器３ａには室内空気の第一の室内空気循環流２７ａ（図中の点線矢印）が通風され、第一の熱交換器３ａは第一の排気流循環経路を用いた第一のデフロスト運転を行っている。
【００８２】
第一の熱交換器３ａは、図８ａの運転により、第一の熱交排気流路２１ａに結露や氷結が起こっていても、第一の熱交換器３ａ内では、第一の熱交給気流路２２ａを流れる温かい第一の室内空気循環流２７ａによって、第一の熱交排気流路２１ａの結露や氷結を融解、乾燥することを促進させ、当初の結露や氷結がなくなり、乾燥した正常な状態に復帰する。
【００８３】
室外の温度が０℃未満となるような低温時に第二の氷結時の熱交換気運転を継続すると、第二の熱交換器３ｂは冷たい第二の給気流１９ｂによって温かい第二の排気流１６ｂの流れる第二の熱交排気流路２１ｂで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００８４】
図８ａおよび図８ｂに示した氷結時の熱交換気運転とデフロスト運転を順次切り換えることにより、室外がきわめて低い温度となる寒冷地で運転した場合でも、第一および第二の熱交排気流路２１ａ、２１ｂでの結露や氷結の影響を受けないようにして、本来の氷結時の熱交換気運転を継続することができる。
【００８５】
図９ａ、図９ｂに示した熱交換形換気装置１の運転は、図２に示した第一の熱交換器３ａと第二の熱交換器３ｂを交互に用いた第一および第二の氷結時の熱交換気運転と、図５に示した第一および第二の給気流循環経路を用いた第一および第二のデフロスト運転である。
【００８６】
図９ａに示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて第一の氷結時の熱交換気運転を行い、第二の熱交換器３ｂには室内空気の第二の室内空気循環流２７ｂ（図中の点線矢印）が通風され、第二の熱交換器３ｂは第二の給排気流循環経路を用いた第二のデフロスト運転を行っている。
【００８７】
第二の熱交換器３ｂ内では、第二の熱交排気流路２１ｂを流れる温かい第二の室内空気循環流２７ｂによって結露や氷結を融解し乾燥していき、次に、第二の熱交給気流路２２ｂを流れる温かい第二の室内空気循環流２７ｂによって、第二の熱交排気流路２１ｂの結露や氷結を融解、乾燥することを促進させ、第二の熱交排気流路２１ｂにおける結露や氷結の融解、乾燥を一つの流れの第二の給俳気流循環経路を用いた第二のデフロスト運転によって、当初の結露や氷結がなくなり、乾燥した正常な状態に復帰する。
【００８８】
室外の温度が０℃未満となるような低温時に第一の氷結時の熱交換気運転を継続すると、第一の熱交換器３ａは冷たい第一の給気流１９ａによって温かい第一の排気流１６ａの流れる第一の熱交排気流路２１ａで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００８９】
次に図９ｂに示すように、熱交換形換気装置１は、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて第二の氷結時の熱交換気運転を行い、第一の熱交換器３ａには室内空気の第一の室内空気循環流２７ａ（図中の点線矢印）が通風され、第一の熱交換器３ａは第一の給排気流循環経路を用いた第一のデフロスト運転を行っている。
【００９０】
第一の熱交換器３ａは、図９ａの運転により、第一の熱交排気流路２１ａに結露や氷結が起こっていても、第一の熱交換器３ａ内では、第一の熱交排気流路２１ａを流れる温かい第一の室内空気循環流２７ａによって結露や氷結を融解し乾燥していき、次に、第一の熱交給気流路２２ａを流れる温かい第一の室内空気循環流２７ａによって、第一の熱交排気流路２１ａの結露や氷結を融解、乾燥することを促進させ、第一の熱交排気流路２１ａにおける結露や氷結の融解、乾燥を一つの流れの第一の給俳気流循環経路を用いた第一のデフロスト運転によって、当初の結露や氷結がなくなり、乾燥した正常な状態に復帰する。
【００９１】
室外の温度が０℃未満となるような低温時に第二の氷結時の熱交換気運転を継続すると、第二の熱交換器３ｂは冷たい第二の給気流１９ｂによって温かい第二の排気流１６ｂの流れる第二の熱交排気流路２１ｂで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００９２】
図９ａおよび図９ｂに示した氷結時の熱交換気運転とデフロスト運転を順次切り換えることにより、室外がきわめて低い温度となる寒冷地で運転した場合でも、第一および第二の熱交排気流路２１ａ、２１ｂでの結露や氷結の影響を受けないようにして、本来の氷結時の熱交換気運転を継続することができる。
【００９３】
図１０ａ、図１０ｂに示した熱交換形換気装置１の運転は、図２に示した第一の熱交換器３ａと第二の熱交換器３ｂを交互に用いた第一および第二の氷結時の熱交換気運転と、図６に示した第一および第二の排気流循環経路を用いた第一および第二のデフロスト運転と、第一および第二の給気流循環経路を用いた第一および第二のデフロスト運転を同時にまたは交互に行った運転である。
【００９４】
図１０ａに示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて第一の氷結時の熱交換気運転を行い、第二の熱交換器３ｂには室内空気の第二の室内空気循環流２７ｂ（図中の点線矢印）が通風され、第二の熱交換器３ｂは、第二の排気流循環経路を用いた第二のデフロスト運転と、第二の給気流循環経路を用いた第二のデフロスト運転を同時にまたは交互に行っている。
【００９５】
第二の熱交換器３ｂ内では、第二の熱交排気流路２１ｂを流れる温かい第二の室内空気循環流２７ｂによって結露や氷結を融解し乾燥していく。また、第二の熱交給気流路２２ｂを流れる温かい第二の室内空気循環流２７ｂによって、第二の熱交排気流路２１ｂの結露や氷結を融解、乾燥することを促進させる。第二の熱交排気流路２１ｂにおける結露や氷結の融解、乾燥を第二の排気流循環経路を用いた第二のデフロスト運転と、第二の給気流循環経路を用いた第二のデフロスト運転を同時にまたは交互に行うことによって、当初の結露や氷結がなくなり、乾燥した正常な状態に短時間で復帰する。
【００９６】
室外の温度が０℃未満となるような低温時に第一の氷結時の熱交換気運転を継続すると、第一の熱交換器３ａは冷たい第一の給気流１９ａによって温かい第一の排気流１６ａの流れる第一の熱交排気流路２１ａで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【００９７】
次に図１０ｂに示すように、熱交換形換気装置１は、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて第二の氷結時の熱交換気運転を行い、第一の熱交換器３ａには室内空気の第一の室内空気循環流２７ａ（図中の点線矢印）が通風され、第一の熱交換器３ａは、第一の排気流循環経路を用いた第一のデフロスト運転と、第一の給気流循環経路を用いた第一のデフロスト運転を同時にまたは交互に行っている。
【００９８】
第一の熱交換器３ａは、図１０ａの運転により、第一の熱交排気流路２１ａに結露や氷結が起こっていても、第一の熱交換器３ａ内では、第一の熱交排気流路２１ａを流れる温かい第一の室内空気循環流２７ａによって結露や氷結を融解し乾燥していく。また、第一の熱交給気流路２２ａを流れる温かい第一の室内空気循環流２７ａによって、第一の熱交排気流路２１ａの結露や氷結を融解、乾燥することを促進させる。第一の熱交排気流路２１ａにおける結露や氷結の融解、乾燥を第一の排気流循環経路を用いた第一のデフロスト運転と、第一の給気流循環経路を用いた第一のデフロスト運転を同時にまたは交互に行うことによって、当初の結露や氷結がなくなり、乾燥した正常な状態に短時間で復帰する。
【００９９】
室外の温度が０℃未満となるような低温時に第二の氷結時の熱交換気運転を継続すると、第二の熱交換器３ｂは冷たい第二の給気流１９ｂによって温かい第二の排気流１６ｂの流れる第二の熱交排気流路２１ｂで徐々に結露し氷結していく。氷結していくと熱交換気機能がわずかずつ低下していくが、第一および／または第二の室内環境検知手段３７ａ、３７ｂと、第一および／または第二の室外温度検知手段３８ａ、３８ｂによって、本来の熱交換気運転ができなくなる前に、氷結時の熱交換気運転とデフロスト運転を切り換える。
【０１００】
図１０ａおよび図１０ｂに示した氷結時の熱交換気運転とデフロスト運転を順次切り換えることにより、室外がきわめて低い温度となる寒冷地で運転した場合でも、第一および第二の熱交排気流路２１ａ、２１ｂでの結露や氷結の影響を受けないようにして、本来の氷結時の熱交換気運転を継続することができる。
【０１０１】
上記のように構成された熱交換形換気装置１の通常時の熱交換気運転を図１１に示し、以下に説明する。
【０１０２】
図１１に示すように、熱交換形換気装置１は、第一の熱交換器３ａには第一の排気流１６ａ（図中の実線矢印）と第一の給気流１９ａ（図中の破線矢印）が通風され、第一の熱交換器３ａは第一の排気流１６ａと第一の給気流１９ａにて通常時の熱交換気運転を行い、第二の熱交換器３ｂには第二の排気流１６ｂ（図中の実線矢印）と第二の給気流１９ｂ（図中の破線矢印）が通風され、第二の熱交換器３ｂは第二の排気流１６ｂと第二の給気流１９ｂにて通常時の熱交換気運転を行っている。
【０１０３】
通常時の熱交換気運転の第一および第二の熱交換器３ａ、３ｂに通風させる第一および第二の排気流１６ａ、１６ｂと第一および第二の給気流１９ａ、１９ｂの風量は、前記説明した第一および第二の氷結時の熱交換気運転の第一および第二の熱交換器３ａ、３ｂに通風させる第一および第二の排気流１６ａ、１６ｂと第一および第二の給気流１９ａ、１９ｂの風量と等しい構成とする。例えば、家屋に換気風量が１００ｍ３／ｈ必要な場合、熱交換形換気装置１は、通常時の熱交換気運転は、第一の熱交換器３ａに通風させる第一の排気流１６ａの風量は５０ｍ３／ｈ、第一の給気流１９ａの風量は５０ｍ３／ｈとし、第二の熱交換器３ｂに通風させる第二の排気流１６ｂの風量は５０ｍ３／ｈ、第二の給気流１９ｂの風量は５０ｍ３／ｈとする。また、熱交換形換気装置１は、氷結時の熱交換気運転は、第一の熱交換器３ａが使用されている時は、第一の熱交換器３ａに通風させる第一の排気流１６ａの風量は１００ｍ３／ｈ、第一の給気流１９ａの風量は１００ｍ３／ｈとし、第二の熱交換器３ｂが使用されている時は、第二の熱交換器３ｂに通風させる第二の排気流１６ｂの風量は１００ｍ３／ｈ、第二の給気流１９ｂの風量は１００ｍ３／ｈとする。この構成により、熱交換形換気装置１は、室外がきわめて低い温度となる寒冷地や室外の温度が高い時など、地域や時期に関わらず、家屋やビルなどに必要な換気風量を熱回収しながら得ることができる。
【０１０４】
また、通常時の熱交換気運転は、第一および第二の排気流１６ａ、１６ｂと第一および第二の給気流１９ａ、１９ｂは第一および第二の熱交換器３ａ、３ｂに対して一度通風させる構成とする。すなわち、熱交換形換気装置１に通風される排気流の風量および給気流の風量は、第一の熱交換器３ａに通風させる第一の排気流１６ａの風量および第一の給気流１９ａの風量と、第二の熱交換器３ｂに通風させる第二の排気流１６ｂの風量および第二の給気流１９ｂの風量に分散される構成である。
【０１０５】
上記のように構成された熱交換形換気装置１の作用と効果について、以下に説明する。
【０１０６】
熱交換形換気装置１は、第一および第二の本体箱２ａ、２ｂを備え、第一および第二の本体箱２ａ、２ｂは、第一および第二の熱交換器３ａ、３ｂと、第一および第二の送風機４ａ、４ｂと、第一および第二の室内排気口５ａ、５ｂと、第一および第二の室外排気口６ａ、６ｂと、第一および第二の室外給気口７ａ、７ｂと、第一および第二の室内給気口８ａ、８ｂと、第一および第二の還流口と、第一および第二の排気流遮蔽手段と、第一および第二の給気流遮蔽手段と、第一および第二の還流遮蔽手段を備え、第一および第二の熱交換器３ａ、３ｂは第一および第二の熱交排気流路２１ａ、２１ｂと第一および第二の熱交給気流路２２ａ、２２ｂを備え、第一および／または第二の熱交排気流路２１ａ、２１ｂにおいて結露や氷結が起こる時は、第一の熱交換器３ａは第一の氷結時の熱交換気運転を行い、第二の熱交換器３ｂは第二のデフロスト運転を行い、その後、第二の熱交換器３ｂは第二の氷結時の熱交換気運転を行い、第一の熱交換器３ａは第一のデフロスト運転を行い、第一および第二の熱交換器３ａ、３ｂにて第一および第二の氷結時の熱交換気運転と第一および第二のデフロスト運転を順次切り換える構成とし、第一および第二の熱交排気流路２１ａ、２１ｂにおいて結露や氷結が起こらない時は、第一および第二の熱交換器３ａ、３ｂを用いて通常時の熱交換気運転を行う構成としたものであり、室外がきわめて低い温度となる寒冷地で運転した場合、第一および第二の熱交排気流路２１ａ、２１ｂでの氷結の影響を受けないようにして、本来の第一および第二の氷結時の熱交換気運転を継続することができ、また、室外の温度が高い場合、第一および第二の熱交換器３ａ、３ｂを用いて通常時の熱交換気運転をすることにより、高い熱交換効率を得ることができる。
【０１０７】
また、熱交換形換気装置１は、第一および／または第二の熱交排気流路２１ａ、２１ｂにおける結露や氷結の影響を検知する第一および／または第二の検知手段を備え、第一および／または第二の熱交排気流路２１ａ、２１ｂにおいて結露や氷結が起こる時は、第一の氷結時の熱交換気運転と第二のデフロスト運転および第二の氷結時の熱交換気運転と第一のデフロスト運転の切り換えを行い、第一および第二の熱交排気流路２１ａ、２１ｂにおいて結露や氷結が起こらない時は、通常時の熱交換気運転を行う運転制御する構成としたものであり、第一および／または第二の熱交排気流路２１ａ、２１ｂにおける結露や氷結の影響を検知する第一および／または第二の検知手段により、第一および第二の熱交換器３ａ、３ｂ内を氷結させるような室外がきわめて低い温度となる寒冷地で運転した場合であっても、本来の第一および第二の氷結時の熱交換気運転を継続することができ、また、室外の温度が高い場合、第一および第二の熱交換器３ａ、３ｂを用いて通常時の熱交換気運転をすることにより、高い熱交換効率を得ることができる。
【０１０８】
また、熱交換形換気装置１は、第一および第二の氷結時の熱交換気運転は、第一および第二のデフロスト運転の第一および第二の室内空気循環流２７ａ、２７ｂの経路を第一および第二の還流遮蔽手段にて遮蔽して第一および第二の氷結時の熱交換気運転を行い、第一および第二のデフロスト運転は、第一および第二の氷結時の熱交換気運転の第一および第二の排気流の経路１７ａ、１７ｂと第一および第二の給気流の経路２０ａ、２０ｂを第一および第二の排気流遮蔽手段と第一および第二の給気流遮蔽手段にて遮蔽して第一および第二のデフロスト運転を行い、通常時の熱交換気運転は、第一および第二のデフロスト運転の室内空気循環流２７ａ、２７ｂの経路を第一および第二の還流遮蔽手段にて遮蔽して通常時の熱交換気運転を行う構成としたものであり、第一および第二の還流遮蔽手段と、第一および第二の排気流遮蔽手段と、第一および第二の給気流遮蔽手段にて、室外がきわめて低い温度となる寒冷地で運転した場合、第一および第二の熱交換器３ａ、３ｂに対して、第一および第二の氷結時の熱交換気運転と第一および第二のデフロスト運転を同時に、且つ順次切り換えることができ、本来の第一および第二の氷結時の熱交換気運転を継続することができ、また、室外の温度が高い場合、第一および第二の熱交換器３ａ、３ｂに対して、通常時の熱交換気運転に切り換えることができ、高い熱交換効率を得ることができる。
【０１０９】
また、熱交換形換気装置１は、室内空気の第一および第二の室内空気循環流２７ａ、２７ｂを用いて第一および第二のデフロスト運転を行う構成としたものであり、室内の排気と給気のバランスを容易にとることができるとともに、第一および第二のデフロスト運転は室内空気の有するエネルギーを室内に戻すことによって、エネルギーのロスを抑えることができる。
【０１１０】
また、熱交換形換気装置１は、第一および第二のデフロスト運転は第一および第二の排気流循環経路を用いた構成としたものであり、第一および第二の排気流循環経路を用いた第一および第二のデフロスト運転によって、第一および／または第二の熱交排気流路２１ａ、２１ｂの結露や氷結を融解、乾燥させることで、第一および第二の氷結時の熱交換気運転を長時間支障なく継続することができる。
【０１１１】
また、熱交換形換気装置１は、第一および第二のデフロスト運転は第一および第二の給気流循環経路を用いた構成としたものであり、第一および／または第二の熱交排気流路２１ａ、２１ｂにおける結露や氷結の融解、乾燥を、第一および第二の熱交給気流路２２ａ、２２ｂを通過する第一および第二の給気流循環経路を用いた第一および第二のデフロスト運転によって促進することができる。また、第一および第二の熱交給気流路２２ａ、２２ｂは結露や氷結が起こらないため、第一および第二の室内空気循環流２７ａ、２７ｂは第一および第二の熱交給気流路２２ａ、２２ｂ内で容易に通風することができ、第一および／または第二の熱交排気流路２１ａ、２１ｂにおける結露や氷結の融解、乾燥を、一層促進することができる。
【０１１２】
また、熱交換形換気装置１は、第一および第二のデフロスト運転は、第一および第二の排気流循環経路と第一および第二の給気流循環経路を同時または交互に用いた構成としたものであり、第一および第二の排気流循環経路を用いた第一および第二のデフロスト運転によって、第一および／または第二の熱交排気流路２１ａ、２１ｂの結露や氷結を融解、乾燥させ、更に第一および／または第二の熱交排気流路２１ａ、２１ｂにおける結露や氷結の融解、乾燥を、第一および第二の熱交給気流路２２ａ、２２ｂを通過する第一および第二の給気流循環経路を用いた第一および第二のデフロスト運転によって促進することができ、また、第一および第二の熱交給気流路２２ａ、２２ｂは結露や氷結が起こらないため、第一および第二の室内空気循環流２７ａ、２７ｂは第一および第二の熱交給気流路２２ａ、２２ｂ内で容易に通風することができ、第一および／または第二の熱交排気流路２１ａ、２１ｂにおける結露や氷結の融解、乾燥を、一層促進することができ、第一および／または第二の熱交排気流路２１ａ、２１ｂの結露や氷結による影響を短時間で回復することができる。
【０１１３】
また、熱交換形換気装置１は、第一および第二のデフロスト運転は第一および第二の給俳気流循環経路を用いた構成としたものであり、第一および／または第二の熱交排気流路２１ａ、２１ｂにおける結露や氷結の融解、乾燥を一つの流れの第一および第二の給俳気流循環経路を用いた第一および第二のデフロスト運転で達成することができる。
【０１１４】
また、熱交換形換気装置１は、第一および第二の排気流循環経路において、第一および第二の還流口は第一および第二の排気還流口２９ａ、２９ｂであり、第一および第二の排気還流口２９ａ、２９ｂは第一および第二の熱交排気流路２１ａ、２１ｂの下流側に設け、第一および第二の還流遮蔽手段は第一および第二の排気還流遮蔽ダンパー３０ａ、３０ｂであり、第一および第二の排気還流遮蔽ダンパー３０ａ、３０ｂは、第一および第二の室内空気循環流２７ａ、２７ｂの第一および第二の排気流循環経路の遮蔽および開放を行い、第一および第二の氷結時の熱交換気運転および通常時の熱交換気運転を行っている時は、第一および第二の排気還流遮蔽ダンパー３０ａ、３０ｂは遮蔽し、第一および第二の排気流循環経路を用いた第一および第二のデフロスト運転を行っている時は、第一および第二の排気還流遮蔽ダンパー３０ａ、３０ｂは開放し、第一および第二の室内空気循環流２７ａ、２７ｂは、第一および第二の熱交排気流路２１ａ、２１ｂの下流側から第一および第二の排気還流口２９ａ、２９ｂを通過して室内に戻る構成としたものであり、ダンパーの切り換えによって、第一および第二の氷結時の熱交換気運転と、通常時の熱交換気運転と、第一および第二のデフロスト運転を切り換え、また、ダンパーの切り換えによって、第一および第二の室内空気循環流２７ａ、２７ｂの第一および第二の排気流循環経路を形成し、第一および第二の排気流循環経路を用いた第一および第二のデフロスト運転によって、第一および／または第二の熱交排気流路２１ａ、２１ｂの結露や氷結を融解、乾燥させることで、第一および第二の氷結時の熱交換気運転を長時間支障なく継続することができる。
【０１１５】
また、熱交換形換気装置１は、第一および第二の給気流循環経路において、第一および第二の還流口は第一および第二の給気還流口３２ａ、３２ｂであり、第一および第二の給気還流口３２ａ、３２ｂは第一および第二の熱交給気流路２２ａ、２２ｂの上流側に設け、第一および第二の還流遮蔽手段は第一および第二の給気還流遮蔽ダンパー３３ａ、３３ｂであり、第一および第二の給気還流遮蔽ダンパー３３ａ、３３ｂは、第一および第二の室内空気循環流２７ａ、２７ｂの第一および第二の給気流循環経路の遮蔽および開放を行い、第一および第二の氷結時の熱交換気運転および通常時の熱交換気運転を行っている時は、第一および第二の給気還流遮蔽ダンパー３３ａ、３３ｂは遮蔽し、第一および第二の給気流循環経路を用いた第一および第二のデフロスト運転を行っている時は、第一および第二の給気還流遮蔽ダンパー３３ａ、３３ｂは開放し、第一および第二の室内空気循環流２７ａ、２７ｂは、第一および第二の給気還流口３２ａ、３２ｂを通過して第一および第二の熱交給気流路２２ａ、２２ｂの上流側に流入する構成としたものであり、ダンパーの切り換えによって、第一および第二の氷結時の熱交換気運転と、通常時の熱交換気運転と、第一および第二のデフロスト運転を切り換え、また、ダンパーの切り換えによって、第一および第二の室内空気循環流２７ａ、２７ｂの第一および第二の給気流循環経路を形成し、第一および／または第二の熱交排気流路２１ａ、２１ｂにおける結露や氷結の融解、乾燥を、第一および第二の熱交給気流路２２ａ、２２ｂを通過する第一および第二の給気流循環経路を用いた第一および第二のデフロスト運転によって促進することができる。
【０１１６】
また、熱交換形換気装置１は、第一および第二の給俳気流循環経路において、第一および第二の還流口は第一および第二の給俳気還流口３５ａ、３５ｂであり、第一および第二の熱交排気流路２１ａ、２１ｂの下流側と第一および第二の熱交給気流路２２ａ、２２ｂの上流側の間に設け、第一および第二の還流遮蔽手段は第一および第二の給俳気還流遮蔽ダンパー３６ａ、３６ｂであり、第一および第二の給俳気還流遮蔽ダンパー３６ａ、３６ｂは、第一および第二の室内空気循環流２７ａ、２７ｂの第一および第二の給俳気流循環経路の遮蔽および開放を行い、第一および第二の氷結時の熱交換気運転および通常時の熱交換気運転を行っている時は、第一および第二の給俳気還流遮蔽ダンパー３６ａ、３６ｂは遮蔽し、第一および第二の給俳気流循環経路を用いた第一および第二のデフロスト運転を行っている時は、前記第一および第二の給俳気還流遮蔽ダンパー３６ａ、３６ｂは開放し、第一および第二の室内空気循環流２７ａ、２７ｂは、第一および第二の熱交排気流路２１ａ、２１ｂの下流側から第一および第二の給俳気還流口３５ａ、３５ｂを通過して第一および第二の熱交給気流路２２ａ、２２ｂの上流側に流入する構成としたものであり、ダンパーの切り換えによって、第一および第二の氷結時の熱交換気運転と、通常時の熱交換気運転と、第一および第二のデフロスト運転を切り換え、また、ダンパーの切り換えによって、第一および第二の室内空気循環流２７ａ、２７ｂの第一および第二の給排気流循環経路を形成し、第一および／または第二の熱交排気流路２１ａ、２１ｂにおける結露や氷結の融解、乾燥を一つの流れの第一および第二の給俳気流循環経路を用いた第一および第二のデフロスト運転で達成することができる。
【０１１７】
また、熱交換形換気装置１は、第一および第二の排気流循環経路において、第一および第二の排気還流遮蔽ダンパー３０ａ、３０ｂは第一および第二の排気還流口２９ａ、２９ｂの遮蔽および開放を行う構成としたものであり、第一および第二の排気還流口２９ａ、２９ｂを、第一および第二の排気還流遮蔽ダンパー３０ａ、３０ｂにて遮蔽と開放を行うことにより、第一および第二の排気流循環経路の遮蔽と開放が容易に行えるため、第一および第二の氷結時の熱交換気運転と、通常時の熱交換気運転と、第一および第二のデフロスト運転を容易に切り換えることができる。
【０１１８】
また、熱交換形換気装置１は、第一および第二の給気流循環経路において、第一および第二の給気還流遮蔽ダンパー３３ａ、３３ｂは第一および第二の給気還流口３２ａ、３２ｂの遮蔽および開放を行う構成としたものであり、第一および第二の給気還流口３２ａ、３２ｂを、第一および第二の給気還流遮蔽ダンパー３３ａ、３３ｂにて遮蔽と開放を行うことにより、第一および第二の給気流循環経路の遮蔽と開放が容易に行えるため、第一および第二の氷結時の熱交換気運転と、通常時の熱交換気運転と、第一および第二のデフロスト運転を容易に切り換えることができる。
【０１１９】
また、熱交換形換気装置１は、第一および第二の給俳気流循環経路において、第一および第二の給俳気還流遮蔽ダンパー３６ａ、３６ｂは第一および第二の給排気還流口３５ａ、３５ｂの遮蔽および開放を行う構成としたものであり、第一および第二の給排気還流口３５ａ、３５ｂを、第一および第二の給排気還流遮蔽ダンパー３６ａ、３６ｂにて遮蔽と開放を行うことにより、第一および第二の給排気流循環経路の遮蔽と開放が容易に行えるため、第一および第二の氷結時の熱交換気運転と、通常時の熱交換気運転と、第一および第二のデフロスト運転を容易に切り換えることができる。
【０１２０】
また、熱交換形換気装置１は、第一および第二の氷結時の熱交換気運転および通常時の熱交換気運転を行っている時は、第一および第二の排気流遮蔽手段は第一および第二の排気流の経路１７ａ、１７ｂを開放し、第一および第二の給気流遮蔽手段は第一および第二の給気流の経路２０ａ、２０ｂを開放し、第一および第二のデフロスト運転を行っている時は、第一および第二の排気流１６ａ、１６ｂにおいて室内の空気を第一および第二の熱交排気流路２１ａ、２１ｂの上流側とした場合、第一および第二の排気流遮蔽手段は、第一および第二の排気流の経路１７ａ、１７ｂの少なくとも第一および第二の熱交排気流路２１ａ、２１ｂの下流側を遮蔽し、第一および第二の給気流１９ａ、１９ｂにおいて室外の空気を第一および第二の熱交給気流路２２ａ、２２ｂの上流側とした場合、第一および第二の給気流遮蔽手段は、第一および第二の給気流の経路２０ａ、２０ｂの少なくとも熱交給気流路２２ａ、２２ｂの上流側を遮蔽した構成としたものであり、第一および第二の排気流遮蔽手段と、第一および第二の給気流遮蔽手段により、室外がきわめて低い温度となる寒冷地で運転した場合、第一および第二の熱交換器３ａ、３ｂに対して、第一および第二の氷結時の熱交換気運転と第一および第二のデフロスト運転を同時に、且つ順次切り換えることができ、本来の第一および第二の氷結時の熱交換気運転を継続することができ、また、室外の温度が高い場合、第一および第二の熱交換器３ａ、３ｂに対して、通常時の熱交換気運転に切り換えることができ、高い熱交換効率を得ることができる。また、第一および第二の排気流遮蔽手段は、第一および第二の排気流の経路１７ａ、１７ｂの少なくとも第一および第二の熱交排気流路２１ａ、２１ｂの下流側を遮蔽し、第一および第二の給気流遮蔽手段は、第一および第二の給気流の経路２０ａ、２０ｂの少なくとも熱交給気流路２２ａ、２２ｂの上流側を遮蔽することにより、室外がきわめて低い温度となる寒冷地で第一および第二のデフロスト運転を行った場合、第一および第二の熱交換器３ａ、３ｂは、室外のきわめて低い外気に接触することがなく、結露や氷結の影響を抑えることができる。
【０１２１】
また、熱交換形換気装置１は、第一および第二の排気流の経路１７ａ、１７ｂにおいて、第一および第二の排気流遮蔽手段は第一および第二の室外排気口遮蔽ダンパー２４ａ、２４ｂであり、第一および第二の室外排気口遮蔽ダンパー２４ａ、２４ｂは、第一および第二の熱交排気流路２１ａ、２１ｂの下流側の遮蔽および開放を行い、第一および第二の給気流の経路２０ａ、２０ｂにおいて、第一および第二の給気流遮蔽手段は第一および第二の室外給気口遮蔽ダンパー２５ａ、２５ｂであり、第一および第二の室外給気口遮蔽ダンパー２５ａ、２５ｂは、第一および第二の熱交給気流路２２ａ、２２ｂの上流側の遮蔽および開放を行い、第一および第二の氷結時の熱交換気運転および通常時の熱交換気運転を行っている時は、第一および第二の室外排気口遮蔽ダンパー２４ａ、２４ｂと第一および第二の室外給気口遮蔽ダンパー２５ａ、２５ｂは開放し、第一および第二のデフロスト運転を行っている時は、第一および第二の室外排気口遮蔽ダンパー２４ａ、２４ｂと第一および第二の室外給気口遮蔽ダンパー２５ａ、２５ｂは遮蔽する構成としたものであり、第一および第二の室外排気口遮蔽ダンパー２４ａ、２４ｂの切り換えと、第一および第二の室外給気口遮蔽ダンパー２５ａ、２５ｂの切り換えによって、第一および第二の氷結時の熱交換気運転と、通常時の熱交換気運転と、第一および第二のデフロスト運転を切り換え、また、第一および第二の室外排気口遮蔽ダンパー２４ａ、２４ｂは第一および第二の熱交排気流路２１ａ、２１ｂの下流側を遮蔽し、第一および第二の室外給気口遮蔽ダンパー２５ａ、２５ｂは第一および第二の熱交給気流路２２ａ、２２ｂの上流側を遮蔽することにより、室外がきわめて低い温度となる寒冷地で第一および第二のデフロスト運転を行った場合、第一および第二の熱交換器３ａ、３ｂは、室外のきわめて低い外気に接触することがなく、結露や氷結の影響を抑えることができる。
【０１２２】
また、熱交換形換気装置１は、第一および第二の排気流の経路１７ａ、１７ｂにおいて、第一および第二の排気流遮蔽手段は第一および第二の室内排気口遮蔽ダンパー２３ａ、２３ｂであり、第一および第二の室内排気口遮蔽ダンパー２３ａ、２３ｂは、第一および第二の熱交排気流路２１ａ、２１ｂの上流側の遮蔽および開放を行い、第一および第二の給気流の経路２０ａ、２０ｂにおいて、第一および第二の給気流遮蔽手段は第一および第二の室内給気口遮蔽ダンパー２６ａ、２６ｂであり、第一および第二の室内給気口遮蔽ダンパー２６ａ、２６ｂは、第一および第二の熱交給気流路２２ａ、２２ｂの下流側の遮蔽および開放を行い、第一および第二の氷結時の熱交換気運転および通常時の熱交換気運転を行っている時は、第一および第二の室内排気口遮蔽ダンパー２３ａ、２３ｂと第一および第二の室内給気口遮蔽ダンパー２６ａ、２６ｂは開放し、第一および第二の排気流循環経路を用いた第一および第二のデフロスト運転を行っている時は、第一および第二の室内排気口遮蔽ダンパー２３ａ、２３ｂは開放し、第一および第二の室内給気口遮蔽ダンパー２６ａ、２６ｂは遮蔽または開放する構成としたものであり、第一および第二の室内排気口遮蔽ダンパー２３ａ、２３ｂの切り換えと、第一および第二の室内給気口遮蔽ダンパー２６ａ、２６ｂの切り換えによって、第一および第二の氷結時の熱交換気運転と、通常時の熱交換気運転と、第一および第二のデフロスト運転を切り換え、また、第一および第二の排気流循環経路を用いた第一および第二のデフロスト運転を行っている場合、第一および第二の室内給気口遮蔽ダンパー２６ａ、２６ｂを遮蔽すると、デフロスト運転を行っている給気流の経路２０ａ、２０ｂの気密性を向上することができる。
【０１２３】
また、熱交換形換気装置１は、第一および第二の給気流循環経路を用いた第一および第二のデフロスト運転を行っている時は、第一および第二の室内排気口遮蔽ダンパー２３ａ、２３ｂは遮蔽または開放し、第一および第二の室内給気口遮蔽ダンパー２６ａ、２６ｂは開放する構成としたものであり、第一および第二の室内排気口遮蔽ダンパー２３ａ、２３ｂの切り換えと、第一および第二の室内給気口遮蔽ダンパー２６ａ、２６ｂの切り換えによって、第一および第二の氷結時の熱交換気運転と、通常時の熱交換気運転と、第一および第二のデフロスト運転を切り換え、また、第一および第二の給気流循環経路を用いた第一および第二のデフロスト運転を行っている場合、第一および第二の室内排気口遮蔽ダンパー２３ａ、２３ｂを遮蔽すると、デフロスト運転を行っている排気流の経路１７ａ、１７ｂの気密性を向上することができる。
【０１２４】
また、熱交換形換気装置１は、第一および第二の給俳気流循環経路を用いた第一および第二のデフロスト運転を行っている時は、第一および第二の室内排気口遮蔽ダンパー２３ａ、２３ｂと第一および第二の室内給気口遮蔽ダンパー２６ａ、２６ｂは開放する構成としたものであり、第一および第二の室内排気口遮蔽ダンパー２３ａ、２３ｂの切り換えと、第一および第二の室内給気口遮蔽ダンパー２６ａ、２６ｂの切り換えによって、第一および第二の氷結時の熱交換気運転と、通常時の熱交換気運転と、第一および第二のデフロスト運転を切り換えることができる。
【０１２５】
また、熱交換形換気装置１は、第一および第二の排気流１６ａ、１６ｂにおいて、第一および第二の室内排気口遮蔽ダンパー２３ａ、２３ｂは第一および第二の室内排気口５ａ、５ｂの遮蔽および開放を行い、第一および第二の室外排気口遮蔽ダンパー２４ａ、２４ｂは第一および第二の室外排気口６ａ、６ｂの遮蔽および開放を行い、第一および第二の給気流１９ａ、１９ｂにおいて、第一および第二の室外給気口遮蔽ダンパー２５ａ、２５ｂは第一および第二の室外給気口７ａ、７ｂの遮蔽および開放を行い、第一および第二の室内給気口遮蔽ダンパー２６ａ、２６ｂは第一および第二の室内給気口８ａ、８ｂの遮蔽および開放を行う構成としたものであり、第一および第二の室内排気口５ａ、５ｂと、第一および第二の室外排気口６ａ、６ｂと、第一および第二の室外給気口７ａ、７ｂと、第一および第二の室内給気口８ａ、８ｂとを、ダンパーの切り換えによって遮蔽と開放を行うことにより、第一および第二の排気流の経路１７ａ、１７ｂと第一および第二の給気流の経路２０ａ、２０ｂの遮蔽と開放が容易に行えるため、第一および第二の氷結時の熱交換気運転と、通常時の熱交換気運転と、第一および第二のデフロスト運転を容易に切り換えることができる。
【０１２６】
また、熱交換形換気装置１は、第一および第二の送風機４ａ、４ｂは第一および第二の排気羽根１５ａ、１５ｂと第一および第二の給気羽根１８ａ、１８ｂを備え、第一および第二の排気羽根１５ａ、１５ｂは、第一および第二の氷結時の熱交換気運転および通常時の熱交換気運転を行う時は第一および第二の排気流の経路１７ａ、１７ｂを送風し、第一および第二のデフロスト運転を行う時は第一および第二の室内空気循環流２７ａ、２７ｂの第一および第二の排気流循環経路を送風し、第一および第二の給気羽根１８ａ、１８ｂは、第一および第二の氷結時の熱交換気運転および通常時の熱交換気運転を行う時は第一および第二の給気流の経路２０ａ、２０ｂを送風し、第一および第二のデフロスト運転を行う時は第一および第二の室内空気循環流２７ａ、２７ｂの第一および第二の給気流循環経路を送風し、第一および第二の排気羽根１５ａ、１５ｂおよび／または第一および第二の給気羽根１８ａ、１８ｂは、第一および第二のデフロスト運転を行う時は第一および第二の室内空気循環流２７ａ、２７ｂの第一および第二の給俳気流循環経路を送風する構成としたものであり、第一および第二の送風機４ａ、４ｂは、それぞれ一つの送風機で、氷結時の熱交換気運転と、通常時の熱交換気運転と、デフロスト運転の送風を行うことができる。
【０１２７】
また、熱交換形換気装置１は、第一および第二の氷結時の熱交換気運転において、第一および第二の熱交換器３ａ、３ｂに通風させる第一および第二の排気流１６ａ、１６ｂと第一および第二の給気流１９ａ、１９ｂの風量は、通常時の熱交換気運転において、第一および第二の熱交換器３ａ、３ｂに通風させる第一および第二の排気流１６ａ、１６ｂと第一および第二の給気流１９ａ、１９ｂの風量が等しい構成としたものであり、第一および第二の氷結時の熱交換気運転の第一および第二の排気流１６ａ、１６ｂと第一および第二の給気流１９ａ、１９ｂの風量と、通常時の熱交換気運転の第一および第二の排気流１６ａ、１６ｂと第一および第二の給気流１９ａ、１９ｂの風量を等しくすることによって、室外がきわめて低い温度となる寒冷地や室外の温度が高い時など、熱交換形換気装置１を使用する地域や時期に関わらず、家屋やビルなどに必要な換気風量を熱回収しながら得ることができる。
【０１２８】
また、熱交換形換気装置１は、通常時の熱交換気運転において、第一および第二の排気流１６ａ、１６ｂと第一および第二の給気流１９ａ、１９ｂは第一および第二の熱交換器３ａ、３ｂに対して一度通風させる構成としたものであり、第一および第二の排気流１６ａ、１６ｂと第一および第二の給気流１９ａ、１９ｂは、第一および第二の熱交換器３ａ、３ｂに対して直列に通風すると、第一の熱交換器３ａと第二の熱交換器３ｂを通過するごとに第一および第二の熱交換器３ａ、３ｂによる通気抵抗が増加するため、第一および第二の送風機４ａ、４ｂは大型化し、消費電力も高くなるが、第一および第二の排気流１６ａ、１６ｂと第一および第二の給気流１９ａ、１９ｂは、第一および第二の熱交換器３ａ、３ｂに対して並列に一度通通することによって、第一および第二の排気流１６ａ、１６ｂと第一および第二の給気流１９ａ、１９ｂは第一および第二の熱交換器３ａ、３ｂに分散して通風されるため、第一および第二の熱交換器３ａ、３ｂを通過する風速が低下することによって、第一および第二の熱交換器３ａ、３ｂの通気抵抗の低減および熱交換効率の向上を両立することができる。
【産業上の利用可能性】
【０１２９】
本発明に係る熱交換形換気装置は、室外がきわめて低い温度であっても、本来の熱交換換気を継続して行うことができ、寒冷地の冬季に熱交換換気する換気装置として有用である。
【符号の説明】
【０１３０】
１      熱交換形換気装置
２ａ    第一の本体箱
２ｂ    第二の本体箱
３ａ    第一の熱交換器
３ｂ    第二の熱交換器
４ａ    第一の送風機
４ｂ    第二の送風機
５ａ    第一の室内排気口
５ｂ    第二の室内排気口
６ａ    第一の室外排気口
６ｂ    第二の室外排気口
７ａ    第一の室外給気口
７ｂ    第二の室外給気口
８ａ    第一の室内給気口
８ｂ    第二の室内給気口
１４ａ  第一の電動機
１４ｂ  第二の電動機
１５ａ  第一の排気羽根
１５ｂ  第二の排気羽根
１６ａ  第一の排気流
１６ｂ  第二の排気流
１７ａ  第一の排気流の経路
１７ｂ  第二の排気流の経路
１８ａ  第一の給気羽根
１８ｂ  第二の給気羽根
１９ａ  第一の給気流
１９ｂ  第二の給気流
２０ａ  第一の給気流の経路
２０ｂ  第二の給気流の経路
２１ａ  第一の熱交排気流路
２１ｂ  第二の熱交排気流路
２２ａ  第一の熱交給気流路
２２ｂ  第二の熱交給気流路
２３ａ  第一の室内排気口遮蔽ダンパー
２３ｂ  第二の室内排気口遮蔽ダンパー
２４ａ  第一の室外排気口遮蔽ダンパー
２４ｂ  第二の室外排気口遮蔽ダンパー
２５ａ  第一の室外給気口遮蔽ダンパー
２５ｂ  第二の室外給気口遮蔽ダンパー
２６ａ  第一の室内給気口遮蔽ダンパー
２６ｂ  第二の室内給気口遮蔽ダンパー
２７ａ  第一の室内空気循環流
２７ｂ  第二の室内空気循環流
２９ａ  第一の排気還流口
２９ｂ  第二の排気還流口
３０ａ  第一の排気還流遮蔽ダンパー
３０ｂ  第二の排気還流遮蔽ダンパー
３２ａ  第一の給気還流口
３２ｂ  第二の給気還流口
３３ａ  第一の給気還流遮蔽ダンパー
３３ｂ  第二の給気還流遮蔽ダンパー
３５ａ  第一の給排気還流口
３５ｂ  第二の給排気還流口
３６ａ  第一の給排気還流遮蔽ダンパー
３６ｂ  第二の給排気還流遮蔽ダンパー
３７ａ  第一の室内環境検知手段
３７ｂ  第二の室内環境検知手段
３８ａ  第一の室外温度検知手段
３８ｂ  第二の室外温度検知手段
【図１】
0005286903.tif 000002
【図２】
0005286903.tif 000003
【図３】
0005286903.tif 000004
【図４】
0005286903.tif 000005
【図５】
0005286903.tif 000006
【図６】
0005286903.tif 000007
【図７】
0005286903.tif 000008
【図８】
0005286903.tif 000009
【図９】
0005286903.tif 000010
【図１０】
0005286903.tif 000011
【図１１】
0005286903.tif 000012
【図１２】
0005286903.tif 000013